(57)【特許請求の範囲】
【請求項１】
略回転対称に形成され回転対称軸の軸方向の一方又は双方に向かって縮径した中空部を有する器体と、前記器体の周壁部に接線方向に開口された気液導入孔と、前記中空部の回転対称軸の方向に開口して前記中空部の縮径部分に設けられた気液噴出孔と、を備え、前記気液噴出孔が前記器体内に流入した気液混合流体の旋回流により形成される負圧軸の位置にあわせて穿設されていることを特徴とする微細気泡発生器。
【請求項２】
前記気液噴出孔が前記回転対称軸の左右両側にそれぞれ設けられていることを特徴とする請求項１に記載の微細気泡発生器。
【請求項３】
前記気液噴出孔が噴出方向に拡径した傾斜部を備え、その傾斜角度が所定範囲に設定されていることを特徴とする請求項１又は２に記載の微細気泡発生器。
【請求項４】
前記気液噴出孔の前方に間隔を有して配設された蓋部と、可撓性材料で形成され前記蓋部に延設された延設部とを有し、前記器体の外周壁に固定された固定キャップ部又は前記器体の外周壁に配設された枠状フレームと、前記枠状フレームと前記気液噴出孔との間に移動自在に遊嵌されて保持された球形状や卵形状等に形成されたキャップ部を備えたことを特徴とする請求項１乃至３の内いずれか１項に記載の微細気泡発生器。
【請求項５】
基端側が前記器体の外周壁に配設され他端側で前記固定キャップ部を支持するキャップ支持部を備えていることを特徴とする請求項４に記載の微細気泡発生器。
【請求項６】
前記キャップ支持部及び／又は前記固定キャップ部が合成樹脂やゴム等の可撓性材料で形成されていることを特徴とする請求項５に記載の微細気泡発生器。
【請求項７】
前記固定キャップ部が、前記気液噴出孔との対向面に隆起して形成された隆起部を備えていることを特徴とする請求項４乃至６の内何れか１項に記載の微細気泡発生器。
【請求項８】
前記器体の後壁に配設されたタンク部と、前記タンク部と前記器体間の壁部に貫通して形成されたタンク部気体自吸孔と、前記タンク部に設けられたタンク部気体導入管とを有していることを特徴とする請求項１乃至７の内何れか１項に記載の微細気泡発生器。
【請求項９】
前記気液噴出孔の方向に向かって設けられ前記中空部内に配設された内部ノズル部と、前記内部ノズル部の後部側に接続された内部中空部と、前記内部中空部の接線方向に開口して設けられた二次液体導入管と、を備えていることを特徴とする請求項１乃至８の内いずれか１項に記載の微細気泡発生器。
【請求項１０】
前記内部ノズル部及び、前記内部中空部、前記二次液体導入管とを有する旋回流発生部が、前記中空部に入れ子状に多段にして設けられていることを特徴とする請求項９に記載の微細気泡発生器。
【請求項１１】
前記二次液体導入管が、前記内部ノズル部の後部側の前記気液導入孔と同一方向又は反対方向の接線方向に開口されて接続されていることを特徴とする請求項９又は１０に記載の微細気泡発生器。
【請求項１２】
前記内部中空部の後壁又は最後尾に配置された前記旋回流発生部の内部中空部の後壁に内部ノズル部気体自吸孔が配置されていることを特徴とする請求項９乃至１１の内いずれか１項に記載の微細気泡発生器。
【請求項１３】
請求項１乃至１２の内何れか１項に記載の微細気泡発生器と、前記微細気泡発生器に気液混合液を供給するポンプと、下流側が前記ポンプの吸込口に接続された気液吸込管と、上流側が前記ポンプの吐出口に接続され下流側が前記微細気泡発生器の前記気液導入孔に接続された気液吐出管と、を有することを特徴とする微細気泡発生器を備えた微細気泡発生装置。
【請求項１４】
前記気液吸込管の所定部に穿設された吸込管部気体自吸孔を有することを特徴とする請求項１３に記載の微細気泡発生器を備えた微細気泡発生装置。
【請求項１５】
一端が前記吸込管部気体自吸孔に接続され他端が空気中で開口した又は反応ガス容器と連通した気体導入管を備えていることを特徴とする請求項１４に記載の微細気泡発生器を備えた微細気泡発生装置。
【請求項１６】
前記気体導入管の所定部に配設され前記気体導入管の開口面積を調節する気体流量調節バルブを備えていることを特徴とする請求項１５に記載の微細気泡発生器を備えた微細気泡発生装置。
【請求項１７】
前記気体導入管の所定部に配設されたエアポンプを備えていること特徴とする請求項１５又は１６に記載の微細気泡発生器を備えた微細気泡発生装置。
【請求項１８】
前記ポンプが液中に全体を浸漬させて用いられる液中ポンプであることを特徴とする請求項１３乃至１７の内何れか１項に記載の微細気泡発生器を備えた微細気泡発生装置。
【請求項１９】
前記液中ポンプが、羽根車状に形成されたインペラと、前記インペラを内蔵する吸込室と、前記吸込室の周壁の接線方向に接続される前記気液吐出管と、前記インペラの回転軸部に対向して開口され周囲の液体を吸引する吸込口と、前記吸込口の近傍にその基端開口部が配置される気体導入管と、前記インペラを回転させるモータが内蔵されたモータ室と、を有していることを特徴とする請求項１８に記載の微細気泡発生器を備えた微細気泡発生装置。
【請求項２０】
前記液中ポンプが、前記吸込口に端部が開口して配置され前記気体導入管が接続される負圧部と、一端側が前記気液吐出管の所定部に接続されその他端側が前記負圧部に接続される分岐管と、を備えていることを特徴とする請求項１９に記載の微細気泡発生器を備えた微細気泡発生装置。
【請求項２１】
前記エアポンプのインペラが、前記ポンプ又は前記液中ポンプの回転軸に連動して配設されていることを特徴とする請求項１７乃至２０の内何れか１項に記載の微細気泡発生器を備えた微細気泡発生装置。
【請求項２２】
前記微細気泡発生器が複数備えられ、前記気液吐出管が各々の前記微細気泡発生器の前記気液導入孔に接続されていることを特徴とする請求項１３乃至２１の内何れか１項に記載の微細気泡発生器を備えた微細気泡発生装置。
【発明の詳細な説明】
技術分野
【０００１】
本発明は、水槽やプール、河川、湖沼、ダム等の水中又は養殖池や沿岸の養殖場もしくは鮮魚運搬車の水（海水）中、又は化学工場における気液反応槽の液中に微細な気泡を多量に発生させる微細気泡発生器及びそれを備えた微細気泡発生装置に関する。
背景技術
【０００２】
近年、微細な気泡を発生させることにより、水槽や河川等の水を浄化し、水中の溶存酸素量を増加させたり、又は化学工場の気液反応槽における反応効率を向上させたり、浴槽等において気泡を含む水流を肌面に当ててマッサージ効果を得る等の種々の微細気泡発生装置が研究、開発されている。
従来の微細気泡発生装置として例えば、特開２０００−４４７号公報（以下、イ号公報という）には、「円錐形のスペースを有する容器本体と、同スペースの内壁円周面の一部にその接線方向に開設された加圧液体導入口と、前記円錐形のスペース底部に開設された気体導入孔と、前記円錐形のスペースの頂部に開設された旋回気液導出口とから構成されてなる旋回式微細気泡発生装置」が開示されている。
また、実開昭６３−７４１２３号公報（以下、ロ号公報という）には、給液孔を混合室の周壁に沿って接線方向に設け、混合室内の後部から前部に向かって突出して配置した空気管の吐出口を混合室の噴射口に位置付けた吸引マッサージ気泡噴流装置が開示されている。
【０００３】
しかしながら、上記従来の技術は以下の課題を有していた。
（１）イ号公報に記載の技術は、気体が円錐形の狭いスペース内で液体と混合されるために気泡が粗大になって噴出され、処理する液体と気泡との接触面積を十分に確保できず溶存酸素量や反応効率を高めることができないという問題点を有していた。
（２）気体導入孔が円錐形のスペース底部に開設されているため、気泡を含む液体を一方向にしか吐出できず、水流の吐出状態を制御しながら河川や浄水設備等で広範囲に亘って大量の水処理を効率的に行うことができないという問題点を有していた。
（３）円錐形のスペース内で液体と気体とが混合されるので、大量の気体を供給するには限界があり、また液体と気体との混合比率を所定値に制御するのが困難であるという問題点を有していた。
（４）ポンプのＯＮ／ＯＦＦ時等に円錐形のスペース内の圧力が変動して、気体導入孔に液体が逆流し、液体中に混入している固形物により気体導入孔が詰まり易く連続運転ができないという問題点を有していた。
（５）気泡をより微細にするためにスペース内を加圧すると、気体導入孔へ液体が流入してしまい、操作性が悪くなるという問題点を有していた。
（６）ロ号公報に記載の技術は、空気管の空気吐出口が混合室の噴射口の直近に配置されているので、混合室内の旋回状態にある水流と空気とが直接接触することがなく、旋回水流と空気とを所定の接触面積を維持させながら効果的に接触させて所定の大きさや形態の微細な気泡を発生させることができないという問題点を有していた。
（７）開放端を有する空気管がノズルの出口付近に配設されているため、ノズル内の圧力変動により空気管に液体が逆流して、液体中に混入している塵埃等により空気管が詰まり易く連続運転ができないという問題点を有していた。
（８）水流中に形成される微細気泡の大きさや発生量を制御する手段がないので、空気管から必要量以上の空気が吸い込まれ、しかも大きな気泡が形成され微細気泡が得られないので充分なマッサージ効果や洗浄効果が得られないという問題点を有していた。
【０００４】
本発明は上記従来の課題を解決するもので、水槽やプール、河川、ダム等の水中又は養殖池や沿岸の養殖場もしくは鮮魚運搬車の水（海水）中、又は化学工場における気液反応槽の液中に気液接触面積の極めて大きな微細気泡を多量に発生させることができ、反応物や汚物の詰まりがなく安定して連続運転が可能な微細気泡発生器の提供、微細な気泡を多量にかつ効率的に発生させることができ気液接触面積が極めて大きく溶存酸素（気体）量を著しく大きくできると共に生産性に優れた微細気泡発生装置を提供することを目的とする。
発明の開示
【０００５】
上記課題を解決するために本発明の微細気泡発生器及びそれを備えた微細気泡発生装置は、以下の構成を有している。
本発明の請求項１に記載の微細気泡発生器は、略回転対称に形成され回転対称軸の軸方向の一方又は双方に向かって縮径した中空部を有する器体と、前記器体の周壁部に接線方向に開口された気液導入孔と、前記中空部の回転対称軸の方向に開口して前記中空部の縮径部分に設けられた気液噴出孔と、を備え、前記気液噴出孔が前記器体内に流入した気液混合流体の旋回流により形成される負圧軸の位置にあわせて穿設されて構成されている。
この構成により、以下のような作用が得られる。
（１）気液導入孔から器体内に、接線方向から気液混合流体を流入させると気液混合流体は、器体の内壁に沿って旋回することにより気液が激しく混合されながら、中空部の回転対称軸の方向に設けられた気液噴出孔側へ移動していく。この際、液体と気体との比重の差によって、液体には遠心力が働き、気体には向心力が働き、大きな気泡が中心軸に収束して負圧軸（気体軸）が形成される。また、負圧軸により、気液噴出孔付近の外部の液体には、微細気泡発生器内に進入しようとする力が働く（以下、この力が働く液体を負圧液という）。一方、微細気泡発生器内の気液混合流体は、旋回しながら気液噴出孔に近づくにつれて、旋回速度が速くなるとともに圧力が高くなり、気液噴出孔付近で旋回速度及び圧力は最大となり、負圧液と押し合う状態になる。よって、負圧軸に集まった気体は、負圧液と旋回している気液混合流体とによって形成された間隙を通過し、多量の微細気泡が混ざった気液混合流体として気液噴出孔から剪断を受けながら外部の液中へ噴出される。
（２）負圧液により拡散された気液混合流体は気液噴出孔の周壁と、負圧液とにより負圧軸に集まった気液混合流体中の気体との間に剪断力が働き、負圧軸に集まった気体は極微細に分断され気液噴出孔から混合流体と共に噴出されるので、多量の微細気泡を外部の液中に発生させることができる。
（３）気体と液体とが予め混合された気液混合流体が気液導入孔に供給されるので、気体の混合比率を調整でき、しかもこれによって微細気泡の発生率を制御した状態で発生させることができる。
（４）微細気泡を含む混合流体を、処理する液体と十分に接触させることができ、溶存酸素量や反応効率等を高めることができる。
（５）微細気泡を含む混合流体を河川やダム、浄水設備等で広範囲に亘って吐出させることにより生物学的処理を極めて効率的に行うことができる。
（６）微細気泡発生器を気液反応装置や汚水処理装置等に用いた場合、ポンプのＯＮ／ＯＦＦ時等に装置内の残圧（負圧）により流体が器体内に逆流しても、微細気泡発生器には気体を取り込むための細孔等がないので、反応物や汚物により目詰まりを起こすことがなく、メンテナンスが不用で耐久性に優れる。
（７）微細気泡の粒径が著しく微小なので、気体と液体の接触面積を大きくすることができ、気液反応装置における反応や、浄化装置における浄化を促進させることができる。また、養殖池や養殖場もしくは鮮魚運搬車の水（海水）中の溶存酸素量を増加させることができる。
（８）器体内に流入した気液混合流体の旋回流により形成される負圧軸は、気液導入孔から流入する気液混合流体に押されて気液導入孔側と反対側に少しずれるので、負圧軸が形成される位置にあわせて気液噴出孔を穿設することにより微細気泡を最大限に発生させることができる。
【０００６】
ここで、微細気泡発生器は、浄水場や河川の浄化、畜産排尿の浄化、活魚の輸送時や養殖時等の酸素供給、水耕栽培時の溶存酸素量増加、ヘドロ等の浮上による汚濁水処理、貯水槽のカルキ類の除去、オゾン混合による殺菌、滅菌、脱臭、入浴時の血行促進、洗濯機、発酵食品類の発酵及び培養の促進、各種薬品と各種ガスの高密度接触による溶解及び中和、化学工場の気液反応装置における気液反応の促進、顔面洗浄器等に用いられる。
液体としては、水や薬液、化学反応液、液体燃料等が用いられる。
気体としては、汚水処理槽等の場合には空気、プール等の水の殺菌の場合にはオゾン、化学反応の場合は反応ガス（ＨＣＮ、ＨＣｌ、ＳＯ2、ＮＯ2等）等が用いられる。
【０００７】
略回転対称に形成された中空部を有する器体は、球状、半球状、砲弾状、円錐状で半球状の底面どうしを円筒部を介してまたは介さないで連設させた形状のもの等が用いられる。円錐状又は円錐状等の底面どうしを連設させた形状の器体を用いた場合、中空部がその回転対称軸から気液噴出孔に向かって一気に収束する形状を有しているので、器体内を旋回する気液混合流体に急激な剪断力が働き、粘度が高い流体でも十分に攪拌させることができる。
また、砲弾状、円錐台状、半球状で後壁を有する場合は、液体導入管から器体内に流入した液体の一部は、後壁側に移動してから反転し、負圧軸の周囲を旋回しながら気液噴出孔側へ移動するので、直進性を持った噴出流にすることができる。
また、後壁を逆に中空部内に凹んだ形状に形成させることもでき、これによって、中空部内における混合流体の動きを変化させることができる。
【０００８】
気液導入孔は、器体の周壁に１以上穿設されて、その周壁の接線方向に気液混合流体や液体が導入される気液導入管が接続されている。これによって、気液導入管にポンプや水道等の供給口を接続して加圧水を流すことにより、器体内に旋回流を発生させることができる。
なお、器体に気液導入孔を介して流入させる液体の流速や液体導入管の径、器体の容積等は、必要とする旋回流の流速、気液混合流体に発生させる微細気泡の量や気泡径等の形態によって適宜選択される。
【０００９】
気液噴出孔は、中空部の回転対称軸の方向に開口して配置されている。気液噴出孔は、後部側から前部側に向かって収束する器体が狭まった絞り部分であり、器体の大きさや器体に供給される液体の流量、圧力等によっても変動するが、その最小径ｄは中空部の最大内径Ｄに対して１／５０〜１／３倍、好ましくは１／３０〜１／５倍程度に形成することが好ましい。これは気液噴出孔の最小径ｄが器体の最大内径Ｄの１／３０倍より小さくなるにつれ、必要な液体の吐出流量を確保するのが困難となる傾向が表われ、逆に１／５倍を越えるにつれ、液体の旋回流を器体内に形成させることができず噴出水流の中心部における吸引力が不足する傾向が現われるからであり、これらの傾向は１／５０倍より小さくなるか、又は１／３倍を越えるとさらに顕著になるので好ましくない。
気液導入孔と器体の中心部とを結ぶ直線、及び、気液噴出孔と器体の中心部とを結ぶ直線の交わる角度（α）が、１０°＜α＜１７０°、好ましくは４５°＜α＜１６０°のものが用いられる。α＞１６０°になると気液導入孔から気液噴出孔へ流体がショートパスを起こす傾向が、α＜４５°になると流体にかかる剪弾力は強くなるが気泡の粒径が安定しなくなる傾向が強くなるので好ましくない。一般的には９０°前後が好適に用いられる。
【００１０】
請求項２に記載の微細気泡発生器は請求項１に記載の発明において、前記気液噴出孔が前記回転対称軸の左右両側にそれぞれ設けられて構成されている。
この構成によって、請求項１の作用の他、以下の作用が得られる。
（１）気液噴出孔が中空部の回転対称軸の左右両側にそれぞれ設けられているので、一つの微細気泡発生器で処理できる範囲を広くして、微細気泡発生器による水処理等を効率的に行うことができ、生産性と利便性に優れている。
（２）回転対称軸の左右両側に配置されるそれぞれの気液噴出孔の孔径を変えたりガイドを設けたりして噴出特性を異ならせることによって、微細気泡の噴出状態を所定の状態に制御することができ、これによって水処理等を効率的に行うことができる。
（３）２つの気液噴出孔を有するので、微細気泡発生器から吐出される気液混合流体の噴出量を単孔のものに比べて倍増させることができ、大量の水処理を行うことができる。
【００１１】
請求項３に記載の微細気泡発生器は、請求項１又は２に記載の発明において、前記気液噴出孔が噴出方向に拡径した傾斜部を備え、その傾斜角度が所定範囲に設定されて構成されている。
この構成によって、請求項１又は２の作用の他、以下の作用が得られる。
（１）気液噴出孔の内周壁に噴出側に向かって所定角度で拡径する傾斜部を有しているので、微細気泡や微細気泡になる前の気体を含む気液混合流体が拡散する範囲を所定角度内に限定して該混合流体内を減圧することができ、この部分的な減圧により微細気泡を混合流体中に効果的に発生させることができる。
（２）傾斜部における角度や噴出方向の長さを、供給する水や流体の圧力、流量、温度等に応じて、それぞれ調整することで、混合流体内に拡散させる微細気泡の大きさや気泡の集合形態等を微妙に変化させることもできる。
（３）回転対称軸の両側に気液噴出孔を配置した場合には、それぞれの傾斜部における傾斜角度を異ならせることにより、微細気泡発生器から全体的に噴出される気液混合流体に特定の方向性を付与することができ、化学反応槽や浄化層等における制御性に優れている。
【００１２】
ここで、傾斜部の角度θは、用いる器体の大きさや供給する水や液体の流量や圧力、傾斜部の長さによっても変動するが、３０〜１６０度、好ましく６５〜１３０度の範囲とすることが望ましい。これは傾斜部の角度θが６５度よりも小さくなるにつれ、微細気泡の生成が少なくなる傾向にあり、逆に１３０度を越えるにつれ微細気泡を含む混合流体が広範囲に拡散して、混合流体による衝撃力が低下する傾向が強まるからである。また、これらの傾向は傾斜部の角度θが３０度より小さくなるか、１６０度を越えるとさらに顕著になるので好ましくない。さらに前記気液噴出孔を器体の両側に設けた場合には、前記角度範囲のなかで左右のそれぞれの傾斜角度を異ならせることにより微細気泡発生器から吐出される吐出流の方向を制御することができる。傾斜角度を１２０度±１０度又は７５度±１０度前後に設定した場合、１２０度±１０度では、器体の中心軸（負圧軸）内を流体が移動するに従って連続的に気体量が増えていくために、強力に吸い込まれる負圧液の面に沿って噴出液が外部に出ようとして噴出液が軸と直角方向に分散される。この時最小間隙部分を通過中に最大の剪断力が働き気泡が微細になる。またその部分は最大の圧力と最大の負圧が隣り合せになって微細気泡の発生が促進される。一方、傾斜角度が７５度±１０度では、前方に向かう流体の流れが角度の大きい側より優勢となって強力に噴出される。このため、全体としては噴出流は傾斜角度の小さい側に偏って流れ、方向性を持たせることができる。
【００１３】
このように傾斜部の角度θは、負圧液の形を決めるパラメータとなり、このパラメータを所定の値に設定することで噴射方向を制御できる。
なお、微細気泡の発生は、最小径ｄ部分に負圧液がどのような形状で形成されるかで決まり、器体から噴出され易い状態とすることが望ましい。
気液混合流体を噴出させると流体は器体側面の球面状に沿って流れ、傾斜角度の大きい側の噴射の方が抵抗が小さくなるようである（すなわち、器体球面の接線方向への流体の流れと負圧液の発生とによる複合効果で傾斜角度の大きい側では混合流体の噴出方向とは逆の後方側に微細気泡を含む混合流体が流れる）。このようにして、目的によって混合流体の噴射方向を決めることができる。
【００１４】
請求項４に記載の微細気泡発生器は、請求項１乃至３の内いずれか１項において、前記気液噴出孔の前方に間隔を有して配設された蓋部と、可撓性材料で形成され前記蓋部に延設された延設部とを有し、前記器体の外周壁に固定された固定キャップ部又は前記器体の外周壁に配設された枠状フレームと、前記枠状フレームと前記気液噴出孔との間に移動自在に遊嵌されて保持された球形状や卵形状等に形成されたキャップ部を備えた構成を有している。
この構成によって、請求項１乃至３の内いずれか１項の作用の他、以下の作用が得られる。
（１）気液導入管から流入した気液混合流体は、器体の内壁に沿って旋回し、激しく気液が混合されながら気液噴出孔側へ移動して負圧軸が形成される。この、負圧軸により該固定キャップ部を、微細気泡発生器内に吸引しようとする力が働く。一方、器体内の混合流体は気液噴出孔付近で旋回速度が最大となり、気液噴出孔と対向した固定キャップ部の蓋部と押し合う状態になる。よって、負圧軸に集まった気体は、固定キャップ部の蓋部（気液噴出孔の対向面）と気液噴出孔の傾斜部との間を旋回しながら圧縮、剪断され、気液混合流体とともに多量の微細気泡として気液噴出孔から液中へ噴出される。こうして、固定キャップ部で外部と分断され、負圧液の形成が最小限に抑えられ、器体内からの噴出旋回抵抗が小さくなり、噴出量も増え回転数も上げることができる。
（２）外部の流体中に微細気泡を多量に発生させることができるので、気体と液体の接触面積を大きくして気液反応装置における反応や、浄化装置における浄化を促進させることができる。また、養殖池や養殖場もしくは鮮魚運搬車の水（海水）中の溶存酸素量を増加させることができる。
（３）微細気泡の粒径が著しく小さいので、気泡の表面積を極めて大きくでき、汚水や反応液、中和液に空気や反応ガスを高い吸収率や反応率で供給できる。
（４）液体や気体の流入量や旋回速度を調整するだけで微細気泡の粒径を数ｎｍ〜１００μｍの範囲に自由にコントロールできる。
（５）キャップ部は気液噴出孔と枠状フレームとの間で移動自在に配設されているので、キャップ部は負圧により気液噴出孔方向に吸引され、気液噴出孔から噴出する気体はキャップ部により圧縮、剪断された場合には、キャップ部と気液噴出孔間の間隔が変化せず安定した水流状態を維持させることができる。
（６）ポンプの吐出圧や気液導入孔や気液噴出孔の径、器体の形状や容積に応じて変化する気液混合流体の旋回時の流速や流量に対応してキャップ部の気液噴出孔側の面と気液噴出孔との間隙の大きさを変化させることができ水流の安定性と制御性に優れる。
（７）器体内に負圧軸が形成されている時は、キャップ部は負圧軸の吸引力と噴出する気液混合流体の噴出方向への力とにより所定の位置で保持されるので、枠状フレームや気液噴出孔に接触することがほとんどなく、磨耗しにくく、耐久性に優れる。
（８）キャップ部を備えているので、オフ時に器体に外部の液中の異物が侵入するのを防ぐことができる。
【００１５】
ここで、固定キャップ部の配設方法としては、延設部を器体の外周壁に接着剤などで直接固定する方法、器体の外周壁にキャップ支持部を突設し該突設部に固定キャップ部を固定する方法等が用いられる。
枠状フレームは気液噴出孔の前方に所定間隔をおいて配設され、気液噴出孔の前部に球形状や卵形状に形成されたキャップ部を遊嵌、保持させるように形成された部材である。
【００１６】
請求項５に記載の微細気泡発生器は、請求項４に記載の発明において、基端側が前記器体の外周壁に配設され他端側で前記固定キャップ部を支持するキャップ支持部を備えて構成されている。
この構成によって、請求項４の作用の他、以下の作用が得られる。
（１）キャップ支持部に固定キャップ部が固定されるので、固定キャップ部が気液混合流体の旋回方向に対して動かず、固定キャップ部の蓋部と噴出される気体との間で剪断力を有効に働かせることができ、粒径の著しく小さい多量の微細気泡を発生させることができる。
【００１７】
請求項６に記載の微細気泡発生器は、請求項５に記載の発明において、前記キャップ支持部及び／又は前記固定キャップ部が合成樹脂やゴム等の可撓性材料で形成されて構成されている。
この構成によって、請求項５の作用の他、以下の作用が得られる。
（１）キャップ支持部及び／又は固定キャップ部が可撓性材料からなるので、該固定キャップ部がキャップ支持部の撓み等の許容範囲内で各々の噴出孔に対して接離方向に移動させることができる。従って、該固定キャップ部は負圧軸により気液噴出孔側に吸引され気液噴出孔から噴出する気体は該固定キャップ部の気液噴出孔の対向面に形成された隆起部等で圧縮、剪断されるので、より微細な気泡を多量に発生させることができる。
（２）ポンプの吐出圧や気液導入孔や気液噴出孔の径、器体の形状や容積に応じて変化する気液混合流体の旋回時の流速や流量に対応して該固定キャップ部の蓋部の気液噴出孔との対向面と気液噴出孔との間隙の大きさが変化するので、汎用性に優れる。
【００１８】
請求項７に記載の微細気泡発生器は、請求項４乃至６の内何れか１項に記載の発明において、前記固定キャップ部が、前記気液噴出孔との対向面に隆起して形成された隆起部を備えて構成されている。
この構成によって、請求項４乃至６の内何れか１項の作用の他、以下の作用が得られる。
（１）固定キャップ部の裏面側に湾曲して突起した形状の隆起部を有しているので、微細気泡を有した気液混合流体を隆起部の面に沿ってガイドしながら流すことができる。
（２）該固定キャップ部やキャップ支持部の材質を可撓性材料で構成した場合、隆起部は負圧軸により気液噴出孔方向に吸引されて流路が狭まるので、気液噴出孔から噴出される流体中の気体は隆起部で圧縮、剪断されるので、より微細な気泡を多量に発生させることができる。
ここで、隆起部としては、半球形状、又は円錐状の気液噴出孔の外形形状に沿った形状のもの等が用いられる。
【００１９】
請求項８に記載の微細気泡発生器は、請求項１乃至７の内何れか１項の発明において、前記器体の後壁に配設されたタンク部と、前記タンク部と前記器体間の壁部に貫通して形成されたタンク部気体自吸孔と、前記タンク部に設けられたタンク部気体導入管とを有して構成されている。
この構成によって、請求項１乃至７の内何れか１項の作用の他、以下の作用が得られる。
（１）タンク部を備えているので、タンク部気体自吸孔及びタンク部気体導入管を介して吸引される空気の吸引抵抗を大きくすることができるので、タンク部気体自吸孔の径を大きくしても気体が大量に吸い込まれず、安定した状態で気体を吸引できる。
（２）容量の大きいタンク部を設けることにより外部の圧力変動が緩和されるので、水流内に発生させる微細気泡の大きさや形態、発生量等の制御を容易化でき、操作性に優れる。
（３）タンク部気体自吸孔の径を大きくすることができるので、塵埃や水垢等の詰まりによる動作不良等が起こりにくく、メンテナンス性に優れる。
ここで、タンク部の形状としては円筒状、半球状等が用いられる。
タンク部気体自吸孔の孔径や数量は、必要とする吸引力や旋回流の速度、微細気泡の数量や粒径に応じて適宜選択される。
【００２０】
請求項９に記載の微細気泡発生器は、請求項１乃至８の内いずれか１項に記載の発明において、前記気液噴出孔の方向に向かって設けられ前記中空部内に配設された内部ノズル部と、前記内部ノズル部の後部側に接続された内部中空部と、前記内部中空部の接線方向に開口して設けられた二次液体導入管と、を備えて構成されている。
この構成によって、請求項１乃至８の内何れか１項の作用の他、以下の作用が得られる。
（１）中空部内に二次液体を噴射する内部ノズルを備えているので、液体導入管から供給される気液混合流体とこの二次液体とを中空部内で効果的に接触させて、さらに微細な気泡を発生させることができ、水処理や化学反応等における生産性を向上させることができる。
（２）二次液体導入管から内部中空部内へ接線方向から連続的に流入した気液混合流体や液体は、旋回しながら内部ノズル部側へ移動していく。この際、液体には遠心力が働き、旋回流の中心は負圧になり液体中の気体が中心に集まって負圧軸が形成される。一方、気液導入孔から中空部内へ流入した液体は、旋回しながら気液噴出孔側へ移動していく。こうして中空部内で二次液体導入管と気液導入孔とを介して供給された流体が合流して、多量で微細な気泡を生じさせることができる。
（３）中空部内には二次液体導入管から旋回方向が気液導入孔からの流体の噴出方向とは正又は逆の気液混合流体を噴出させることができる。噴出される気液混合流体の旋回方向を中空部内の液体の旋回方向と逆にした場合は、負圧軸に収束された気体は瞬間的に微細気泡となって、中空部内の液体と混合されて気液噴出孔から噴出するので、気液噴出孔が空気中に配置されていても、微細気泡を多量に含有した液体を噴出することができる。
（４）中空部には、気体を取り込むための孔等がないので、微細気泡発生器を化学反応槽や化学石油プラントにおけるガス洗浄槽、汚水処理槽に用いる場合は、ポンプのＯＮ／ＯＦＦ時等に装置内に残圧が残っていて流体が逆流しても反応物や汚物により目詰まりを起こすことがない。
（５）微細気泡とすることができるので、気泡の表面積が極めて大きく、汚水や反応液、中和液に空気や反応ガスを高い吸収率や反応率で供給できる。
【００２１】
ここで、二次液体導入管に供給する液体は、気液導入孔に供給する流体と同種のものでも異種のものでもよく、水や薬液、反応液、液体燃料等が用いられる。  内部ノズル部は、円錐状、球状、半球状、円錐台状、半球台状、砲弾状のもの等が用いられる。
気液噴出孔から流体となって噴出される気泡の粒径は、各液体導入管からの流体の吐出圧や各ノズルの形状に基づく旋回速度により適宜選択される。
【００２２】
請求項１０に記載の微細気泡発生器は、請求項９に記載の発明において、前記内部ノズル部及び、前記内部中空部、前記二次液体導入管とを有する旋回流発生部が、前記中空部に入れ子状に多段にして設けられて構成されている。
この構成により、請求項９の作用に加え、以下のような作用が得られる。
（１）各旋回流発生部に種類の異なる液体もしくは気体を流入させることによって、より多くの種類の液体や気体を混合することができる。
（２）混合燃料を一回の処理で高酸素率で製造でき、ボイラー等の燃焼効率を高めることができる。
（３）化学工場等の工場の種類の異なる排ガスや反応ガスを同時に中和液や洗浄液、反応液に供給することができる。
（４）養殖場等でオゾンガスを供給し、次いで空気を供給して高殺菌と高酸素含有化を同時に達成させることができる。
【００２３】
請求項１１に記載の微細気泡発生器は、請求項９又は１０に記載の発明において、前記二次液体導入管が、前記内部ノズル部の後部側の前記気液導入孔と同一方向又は反対方向の接線方向に開口されて接続されている。
この構成により、請求項９又は１０の作用に加え、以下のような作用が得られる。
（１）内部ノズル部から中空部内へ、気液混合流体が旋回しながら進入するので、気液混合流体と液体とが効率よく混合することができる。
（２）気液混合流体の旋回力に内部ノズル部からの液体の旋回力が加わり、より強い旋回流が生じるので、勢い良く、より広範囲へ多量の微細気泡を噴出させ拡散させることができる。
（３）二次液体導入孔や直列状に接続された内部ノズル部の液体導入孔が気液導入孔と反対方向の接線方向に開口されている場合は、多段に形成された微細気泡発生器内で、液体への気体の吸収率や反応率を高めることができる。
（４）中空部内や各内部ノズル部での液体の旋回速度を調整することで、気液噴出孔から微細気泡を多量に噴出させることができる。
【００２４】
請求項１２に記載の微細気泡発生器は、請求項９乃至１１の内いずれか１項に記載の発明において、前記内部中空部の後壁又は最後尾に配置された前記旋回流発生部の内部中空部の後壁に内部ノズル部気体自吸孔が配置されて構成されている。
この構成により、請求項９乃至１１の内いずれか１項の作用に加え、以下のような作用が得られる。
（１）二次液体導入管から内部中空部内へ接線方向から連続的に流入した気液混合流体や液体は、旋回しながら内部ノズル部側へ移動していく。この際、液体には遠心力が働き、旋回流の中心は負圧になるので、内部ノズル部気体自吸孔から気体が吸引され、吸引された気体が中心に集まって負圧軸が形成される。一方、気液導入孔から中空部内へ流入した液体は、旋回しながら気液噴出孔側へ移動していく。こうして中空部内で二次液体導入管と気液導入孔とを介して供給された流体が合流して、多量で微細な気泡を生じさせることができる。
なお、中空部内には二次液体導入管から旋回方向が気液導入孔からの流体の噴出方向とは正又は逆の気液混合流体を噴出させることができる。
内部ノズル部付近の液体には、内部ノズル部の負圧軸により内部ノズル部へ進入しようとする力が働く。一方、内部ノズル部気体自吸孔からの気体を含む気液混合流体は、内部ノズル部内を旋回しながら移動し、内部ノズル部の噴出孔に近づくにつれて旋回速度が速くなるとともに圧力が高くなり、先端の噴出孔付近で旋回速度及び圧力は最大となって負圧液と押し合う状態となる。気液混合流体は負圧液を避けるようにして、二次噴出孔の縁部付近から流出する。流出する際に、負圧軸の圧縮された気体は、微細気泡となって剪断され、中空部内へ気液混合流体とともに噴出し中空部内の液体と混合された後、気液噴出孔から噴出される。
（２）微細気泡とすることができるので、気泡の表面積が極めて大きく、汚水や反応液、中和液に空気や反応ガスを高い吸収率や反応率で供給できる。
内部ノズル部気体自吸孔に供給する気体としては、汚水処理槽等の場合には空気、プール等の水の殺菌の場合にはオゾン、化学反応の場合は反応ガス（ＨＣＮ、ＨＣｌ、ＳＯ2、ＮＯ2等）等が用いられる。
【００２５】
請求項１３に記載の微細気泡発生器を備えた微細気泡発生装置は、請求項１乃至１２の内何れか１項に記載の微細気泡発生器と、前記微細気泡発生器に気液混合液を供給するポンプと、下流側が前記ポンプの吸込口に接続された気液吸込管と、上流側が前記ポンプの吐出口に接続され下流側が前記微細気泡発生器の前記気液導入孔に接続された気液吐出管と、を有して構成されている。
この構成により、以下のような作用が得られる。
（１）微細気泡発生器には気体を取り込むための細孔等がないので、ポンプのＯＮ／ＯＦＦ時等に装置内に残圧が残っていて流体が逆流しても流体や固形物により目詰まりを起こすことがない。
（２）ポンプ内に吸い込まれた気液混合流体は、ポンプのインペラにより液体と共に撹拌され、気泡が拡散されながらポンプの吐出口から気液吐出管に吐き出される。
（３）気液吐出管から微細気泡発生器に供給された気液混合流体は中空部内でさらに攪拌され微細な気泡にされるので、従来の技術に比べてさらに粒径の微細な気泡を発生することができる。
（４）気液吐出管から気液導入孔を経て接線方向から微細気泡発生器内に流入した気液混合流体は、中空部内で旋回することにより激しく気液混合されながら、気液噴出孔側へ移動すると共に、気泡が中心軸に収束し負圧軸が形成される。微細気泡発生器内の気液混合流体は、旋回しながら気液噴出孔に近づくにつれて、旋回速度が速くなるとともに圧力が高くなり、気液噴出孔付近で旋回速度及び圧力は最大となり、負圧液と押し合う状態になる。負圧軸に集まった気体は、負圧液と旋回している気液混合流体とによって形成された間隙で圧縮、剪断させながら通過し、多量の微細気泡を含有した流体として気液噴出孔から外部の液中へ噴出される。
【００２６】
ここで、微細気泡発生装置は、浄水場や河川、湖沼、ダムの浄化、畜産排尿の浄化、活魚の輸送時や養殖時等の酸素供給、水耕栽培時の溶存酸素量増加、ヘドロ等の浮上による汚濁水処理、貯水槽のカルキ類の除去、オゾン混合による殺菌、滅菌、脱臭、入浴時の血行促進、洗濯機、発酵食品類の発酵及び培養の促進、各種薬品と各種ガスの高密度接触による溶解及び中和、化学工場の気液反応装置における気液反応の促進、顔面洗浄器等に用いられる。
ポンプとしては陸上設置型や、液中ポンプ等が用いられる。種類としては遠心ポンプ、回転ポンプ、斜流ポンプ、軸流ポンプが液体の種類や流量に応じて適宜決定される。
なお、気液吸込管の管径やポンプの能力を変えることにより、気液吸込管内を流れる液体の流量が変わるので、気液吸込管内に吸い込まれる気体量を変化させることができる。
【００２７】
請求項１４に記載の微細気泡発生器及を備えた微細気泡発生装置は、請求項１３に記載の発明において、前記気液吸込管の所定部に穿設された吸込管部気体自吸孔を有して構成されている。
この構成により、請求項１３の作用に加えて以下のような作用が得られる。
（１）気体は吸込管部気体自吸孔から気液吸込管に吸い込まれ、微細気泡発生器には、気体を取り込むための細孔等がないので、ポンプのＯＮ／ＯＦＦ時等に装置内に残圧が残っていて流体が逆流しても目詰まりを起こすことがない。
（２）ポンプを駆動させると気液吸込管に水流が発生して、このエジェクタ効果により吸込管部気体自吸孔から気液吸込管内に気体が液体の随伴流として吸引される。こうして気体を含む気液混合流体が、ポンプの吸込口からポンプ内に吸い込まれる。ポンプ内に吸い込まれた気液混合流体は、ポンプのインペラにより、気泡が拡散されながらポンプの吐出口から気液吐出管内に吐き出される。
（３）吸込管部気体自吸孔から供給される気体の流量を制御できるので、微細気泡の量や大きさ等を適正に調整することができる。
【００２８】
請求項１５に記載の微細気泡発生器を備えた微細気泡発生装置は、請求項１４に記載の発明において、一端が前記吸込管部気体自吸孔に接続され他端が空気中で開口した又は反応ガス容器と連通した気体導入管を備えて構成されている。
この構成により、請求項１４の作用に加えて以下のような作用が得られる。
（１）気体導入管を所望の容器等に連通させることにより、所望の気体を気液吸込管内に流入させることができる。
ここで、気体自吸管の一端を空気中で開口させることにより、気体導入管に空気を流入させることができ、養殖池や養殖場、鮮魚運搬車の水（海水）中の溶存酸素量を増加させることができる。
気体自吸管の一端を反応ガス容器に連通させることにより、化学工場の気液反応装置における気液反応を促進させることができる。
【００２９】
請求項１６に記載の微細気泡発生器を備えた微細気泡発生装置は、請求項１５に記載の発明において、前記気体導入管の所定部に配設され前記気体導入管の開口面積を調節する気体流量調節バルブを備えて構成されている。
この構成により、請求項１５の作用に加え、以下のような作用が得られる。
（１）気体流量調節バルブを調節することにより、液体に混入する気体量を調節することができるので、発生する微細気泡の大きさを調節することができる。
【００３０】
請求項１７に記載の微細気泡発生器を備えた微細気泡発生装置は、請求項１５又は１６に記載の発明において、前記気体導入管の所定部に配設されたエアポンプを備えて構成されている。
この構成により、請求項１５又は１６の作用に加え、以下のような作用が得られる。
（１）エアポンプにより強制的に気体を供給することができるので、液体に混合する気体量を増加させることができる。
【００３１】
請求項１８に記載の微細気泡発生器を備えた微細気泡発生装置は、請求項１３乃至１７の内何れか１項に記載の発明において、前記ポンプが液中に全体を浸漬させて用いられる液中ポンプであるように構成されている。
この構成により、請求項１３乃至１７の内何れか１項の作用に加えて以下のような作用が得られる。
（１）液中ポンプは液中に配置されるので、陸上にポンプを配置するための場所を必要とせず、使用性に優れる。
（２）液中ポンプの吸込口から直接流体を吸い込み、気液吸込管を必要としないので、部品点数が少なくなり生産性に優れる。
（３）吸込口が液中に開口されているので、液中ポンプのＯＮ／ＯＦＦ時に残圧がかからず、気体導入管に流体が逆流せず目詰まりを起こすことがない。
【００３２】
請求項１９に記載の微細気泡発生器を備えた微細気泡発生装置は、請求項１８に記載の発明において、前記液中ポンプが、羽根車状に形成されたインペラと、前記インペラを内蔵する吸込室と、前記吸込室の周壁の接線方向に接続される前記気液吐出管と、前記インペラの回転軸部に対向して開口され周囲の液体を吸引する吸込口と、前記吸込口の近傍にその基端開口部が配置される気体導入管と、前記インペラを回転させるモータが内蔵されたモータ室と、を有して構成されている。
この構成により、請求項１８の作用に加えて以下のような作用が得られる。
（１）羽根車状に形成されたインペラを吸込室で回転させることにより、インペラの回転軸部に対向して開口した吸込口から周囲の液体を吸引して吸込室内に取り込むと共に、吸込室の周壁の接線方向に接続された気液吐出管から気液混合流体を吐出させることができる。
（２）インペラを駆動させるモータを備えたモータ室とインペラを備えた吸込室とが一体に形成されているので、全体をコンパクトにして携帯性や設置の自在性に優れ、また、浄水場や沈殿槽等に容易に適用することができる。
【００３３】
請求項２０に記載の微細気泡発生器を備えた微細気泡発生装置は、請求項１９に記載の発明において、前記液中ポンプが、前記吸込口に端部が開口して配置され前記気体導入管が接続される負圧部と、一端側が前記気液吐出管の所定部に接続されその他端側が前記負圧部に接続される分岐管と、を備えて構成されている。
この構成により、請求項１９の作用に加えて以下のような作用が得られる
（１）分岐管が液中ポンプの吸込口付近に配設されているので、分岐管内に負圧が発生し、この負圧によって気体導入管から負圧管内に気体が吸い込まれ液体中に混入させることができる。
（２）負圧管の内径が分岐管の内径より大きいので、流体が分岐管から負圧管に流入した際に、負圧管内に負圧が発生し、これにより気体導入管から負圧管内に気体が吸い込まれ液体中に混入する。
（３）分岐管が液中ポンプの吸込口付近で開口されているので、液中ポンプのＯＮ／ＯＦＦ時に残圧がかからず、気体導入管に流体が逆流せず目詰まりを起こすことがない。
【００３４】
請求項２１に記載の微細気泡発生器を備えた微細気泡発生装置は、請求項１７乃至２０の内何れか１項に記載の発明において、前記エアポンプのインペラが、前記ポンプ又は前記液中ポンプの回転軸に連動して配設されて構成されている。
この構成により、請求項１７乃至２０の内何れか１項の作用に加え、以下のような作用が得られる。
（１）エアポンプ用のモータ等の駆動部を別途必要としないので、生産性に優れるとともに装置全体を小型化することができる。
【００３５】
請求項２２に記載の微細気泡発生器を備えた微細気泡発生装置は、請求項１３乃至２１の内何れか１項に記載の発明において、前記微細気泡発生器が複数備えられ、前記気液吐出管が各々の前記微細気泡発生器の前記気液導入孔に接続されて構成されている。
この構成により、請求項１３乃至２１の内何れか１項の作用に加え、以下のような作用が得られる。
（１）複数の微細気泡発生器を用いてそれぞれの気液噴出孔から多量の微細気泡を所定の方向に噴出させることができるので、微細気泡をより広範囲に噴出させることができる。
（２）それぞれの気液噴出孔の傾斜部の角度を調整することにより、全体の水流の吐出状態を制御して、さらに効率的に広い範囲の水処理を行うことができる。
発明を実施するための最良の形態
【００３６】
（実施の形態１）
実施の形態１における微細気泡発生器について、以下図面を参照しながら説明する。
図１（ａ）は実施の形態１における微細気泡発生器の要部斜視図であり、図１（ｂ）はその要部正面図であり、図１（ｃ）はその要部側面図である。
図１において、１は実施の形態１における微細気泡発生器、１ａは球状の中空部を有する器体、１ｂは器体１ａの直径と直交するように（接線方向に）器体１ａに配設固定された気液導入管、１ｃは器体１ａに接線方向に開口された気液導入管１ｂの気液導入孔、１ｄは器体１ａの気液導入孔１ｃから中心に向けた中心と直交する直径方向の両端部に穿設された気液噴出孔である。
【００３７】
気液噴出孔１ｄは器体１ａの中心軸から気液導入孔１ｃ側と反対側に少しずらした位置に穿設されている。器体１ａ内に流入した気液混合流体の旋回流により気液噴出孔１ｄ、１ｄ間に形成される負圧軸が気液導入孔１ｃから流入する気液混合流体に押されて気液導入孔１ｃ側と反対側に少しずれるためである。負圧軸が形成される位置にあわせて気液噴出孔１ｄを穿設することにより微細気泡を最大限に発生させることができる。
気液導入孔１ｃと器体１ａの中心部とを結ぶ直線、及び、気液噴出孔１ｄと器体１ａの中心部とを結ぶ直線の交わる角度（α）が、１０°＜α＜１７０°、好ましくは４５°＜α＜１６０°、更に好ましくは液体の種類にもよるが６０°＜α＜１２０°のものが用いられる。α＞１２０°になるにつれ気液導入孔１ｃから気液噴出孔１ｄへ流体がショートパスを起こす傾向が見られ、α＜６０°になるにつれ流体にかかる剪弾力は強くなるが気泡の粒径が安定しなくなる傾向がみられα＞１６０°もしくはα＜４５°になるにつれ液体の種類にもよるがこれらの傾向が大きく、α＞１７０°、α＜１０°になると更に大きくなる傾向があるので好ましくない。特に好ましくは９０°に設定するとよい。
【００３８】
以上のように構成された実施の形態１における微細気泡発生器について、以下図面を参照しながらその動作を説明する。
図２は微細気泡発生器内部の流体の状態を示す要部断面状態図である。
図２において、１は微細気泡発生器、１ａは器体、１ｂは気液導入管、１ｃは気液導入孔、１ｄは気液噴出孔であり、これらは図１と同様のものであるので、同一の符号を付してその説明を省略する。尚、本実施の形態１における気液噴出孔１ｄの縁部は外側に拡開した湾曲面１ｄ'が形成されている。
１ｅは外部からの負圧液と器体１ａ内で旋回する気液混合流体によって形成された気液噴出孔１ｄにおける間隙、Ｘは器体１ａ内を旋回する気液混合流体により形成される負圧軸である。
【００３９】
気液導入孔１ｃから（接線方向から）器体１ａ内に気液混合流体を流入させると、この気液混合流体は、旋回することにより激しく気液混合されながら、気液噴出孔１ｄ側へ移動していく。この際、液体と気体との比重の差によって、液体には遠心力が働き、気体には向心力が働き、中心軸側に負圧軸Ｘが形成される。また、負圧軸Ｘにより、気液噴出孔１ｄ付近の液相の液体には、外部の液体が気液噴出孔１ｄ内に進入しようとする力が働く。一方、器体１ａ内の気液混合流体は、旋回しながら気液噴出孔１ｄに近づくにつれて、旋回速度が速くなり、気液噴出孔１ｄ付近で旋回速度は最大となり、負圧液と押し合う状態になる。よって、負圧軸Ｘに集まった気体は、旋回している気液混合流体と負圧液とによって形成された間隙１ｅを圧縮気体となって通過し、微細気泡発生器１の湾曲面１ｄ'に沿うようにして多量の微細気泡を含む流体となって気液噴出孔１ｄから液相中へ噴出される。
この際、気液噴出孔１ｄの縁部（側面）は湾曲面１ｄ'が形成されており、湾曲面１ｄ'において、気体にさらに圧力がかかり剪断され、より微細な多量な気泡が流体となって噴出される。
【００４０】
以上のように構成された実施の形態１の微細気泡発生器によれば、以下のような作用が得られる。
（１）微細気泡発生器１の器体１ａには、気液導入孔１ｃを中心として両側の対称位置の中心線に気液噴出孔１ｄが穿設されているので、微細気泡を微細気泡発生器１の両側から広範囲に噴出させることができる。
（２）微細気泡発生器１は球状であるので負圧液の圧力により、微細気泡を気液噴出孔１ｄから器体１ａの周囲に、より広範囲に噴出させることができる。
（３）負圧軸Ｘに集まった気体が噴出される際に、負圧液により圧縮されながら剪断されるので、より微細で多量の気泡を噴出させることができる。
（４）微細気泡発生器１を気液反応装置や汚水処理装置等に用いた場合、ポンプのＯＮ／ＯＦＦ時等に装置内の残圧（負圧）により液体が逆流しても、微細気泡発生器１には気体を取り込むための細孔等がないので、反応物や汚物により目詰まりを起こすことがない。
（５）微細気泡発生器１には、気体を取り込むための細孔等がないので、器体１ａ内を高圧にしても逆流を起こさないので、多量の気液混合流体を供給でき、その分より微細で多量の気泡を噴出させることができる。
（６）微細な気泡を多量に発生させるので、気体と液体の接触面積を大きくすることができ、気液反応装置における反応や、河川やダム、下水処理場等の浄化を促進させることができる。また、養殖池や養殖場もしくは鮮魚運搬車の水（海水）中の溶存酸素量を増加させることができる。
【００４１】
（実施の形態２）
次に、実施の形態１の微細気泡発生器とは別の形状の微細気泡発器について、以下図面を参照しながら説明する。
図３（ａ）は実施の形態２における微細気泡発生器の要部斜視図であり、図３（ｂ）はその要部正面図であり、図３（ｃ）はその要部側面図である。
図３において、１ａは器体、１ｂは気液導入管、１ｃは気液導入孔、１ｄは気液噴出孔であり、これらは実施の形態１と同様のものであるので、同一の符号を付してその説明を省略する。
２は実施の形態２における微細気泡発生器、２ａは気液噴出孔１ｄに一体に形成又は接続された円錐台状のノズルである。
【００４２】
以上のように構成された実施の形態２の微細気泡発生器によれば、実施の形態１の作用に加え、以下のような作用が得られる。
（１）ノズル２ａの配設角度によって、微細気泡を所望の方向に噴出させることができる。
（２）ノズル２ａは吐出方向に向かって絞られた形状を有しているので、微細気泡をより遠くに噴出させることができる。
【００４３】
（実施の形態３）
図４（ａ）は実施の形態３の２連式の微細気泡発生器の要部斜視図であり、図４（ｂ）はその要部正面図であり、図４（ｃ）はその要部側面図である。
３は実施の形態３における２連式の微細気泡発生器、３ａ'は球状部３ａが２つ連設された形状を有する器体であり、この２つの球状部３ａの中空部は連通している。３ｂは一端が２つの球状部３ａの連通部に開口して接続された気液導入管、３ｃは球状部３ａの２つの連通部の接線方向に開口された気液導入管３ｂの気液導入孔、３ｄは気液導入管３ｂに直交する球状部３ａの軸方向の両端部にそれぞれ穿設された気液噴出孔である。
気液導入孔３ｃから流入した気液混合流体は器体３ａ'の各々の球状部３ａの接線方向から流入し各々の球状部３ａ内を実施の形態１と同様に移動した後、気液噴出孔３ｄから噴出される。
以上のように構成された実施の形態３の微細気泡発生器によれば、実施の形態１の作用に加え、微細気泡発生器３は４つの気液噴出孔３ｄを有するので微細気泡をより広範囲に噴出できるという作用が得られる。
【００４４】
（実施の形態４）
図５（ａ）は実施の形態４における微細気泡発生器の要部斜視図であり、図５（ｂ）はその要部正面図であり、図５（ｃ）はその要部側面図である。
図５において、４は実施の形態４における半球部とその半球部の後部に連設された円筒部とを有する微細気泡発生器、４ａは中空部が半球状に形成された半球部、４ａ'は有底の円筒部、４ｂは円筒部４ａ'に接線方向に配設固定された気液導入管、４ｃは円筒部４ａ'に接線方向に開口された気液噴出管４ｂの気液噴出孔、４ｄは半球部４ａの頂部に穿設された気液噴出孔である。
以上のように構成された実施の形態４の微細気泡発生器によれば、実施の形態１の作用の（２）乃至（５）に加え、噴出される気液を一方向に噴射でき、しかもコンパクトに構成できるという作用を有する。
【００４５】
（実施の形態５）
図６（ａ）は実施の形態５における微細気泡発生器の要部斜視図であり、図６（ｂ）はその要部正面図であり、図６（ｃ）はその要部側面図である。
図６において、５は実施の形態５における微細気泡発生器、５ａは２つの円錐形状体５ａ１が中央の円筒体部５ａ２で連通した中空部の形状を有する器体、５ｂは器体５ａの円筒体部５ａ２の接線方向に配設固定された気液導入管、５ｃは円筒体部５ａ２の接線方向に開口された気液導入管５ｂの気液導入孔、５ｄは各円錐形状体５ａ１の各頂部に穿設された気液噴出孔である。
以上のように構成された実施の形態５の微細気泡発生器によれば、実施の形態４の作用に加え、器体５ａが気液導入孔５ｃから気液噴出孔５ｄに向かって一気に収束する形状を有しているので、器体５ａ内を旋回する流体に急激な剪断力が働き、粘度が高い流体でも十分に攪拌させることができるという作用が得られる。
【００４６】
（実施の形態６）
実施の形態６における微細気泡発生装置について、以下図面を参照しながら説明する。
図７は実施の形態１における微細気泡発生器を装備した実施の形態６における微細気泡発生装置の使用状態図である。
図７において、１は実施の形態１における微細気泡発生器、１１は実施の形態６における微細気泡発生装置、１２は吸込口１２ａ及び吐出口１２ｂを有するポンプ、１３は下流側がポンプ１２の吸込口１２ａに接続された気液吸込管、１４は上流側がポンプ１２の吐出口１２ｂに接続され下流側が微細気泡発生器１の気液導入管１ｂに接続された気液吐出管、１５は一端側が空気中で開口され他端側が気液吸込管１３の所定部に穿設された吸込管部気体自吸孔１５ａに接続された気体導入管である。
１６は気体導入管１５の所定部に配設された気体流量調節バルブ、１７は気液吸込管１３の上流側端部に配設され異物の混入を防止するストレーナ、１８は微細気泡発生器１及びストレーナ１７が沈水された水槽や海、プール、又は化学工場における気液反応槽等の液相である。
【００４７】
以上のように構成された実施の形態６における微細気泡発生装置について、以下図面を参照しながらその動作を説明する。
ポンプ１２を駆動させると、液相１８の液体は、ストレーナ１７を経て気液吸込管１３に流入する。気液吸込管１３の吸込管部気体自吸孔１５ａにおいて、気液吸込管１３内に気体導入管１５から気体が液体の随伴流として吸引され、気液混合流体となり、ポンプ１２の吸込口１２ａからポンプ１２内に吸い込まれる。ポンプ１２内に吸い込まれた気液混合流体は、ポンプ１２のインペラ（図示せず）により、気泡が拡散されながらポンプ１２の吐出口１２ｂから気液吐出管１４内に吐き出され、微細気泡発生器１内に流入する。
尚、微細気泡発生器１内の動作は実施の形態１と同様のものなので、その説明を省略する。
また、微細気泡発生装置１１は気液吸込管１３の吸込管部気体自吸孔１５ａに気体導入管１５が接続されているが、気体導入管１５を接続せず吸込管部気体自吸孔１５ａのみを気液吸込管１３に設けるか、気体導入管１５の端部を気液吸込管１３内に配置しエジェクター式にしても気体は気液吸込管１３内に自吸されるので、同様に実施可能である。
【００４８】
以上のように構成された実施の形態６の微細気泡発生装置によれば、以下のような作用が得られる。
（１）気液吸込管１３内に吸い込まれた器体は、ポンプ１２内でインペラにより拡散されるので、さらに微細な気泡を発生させることができる。
（２）気体流量調節バルブ１６を調節することにより、気液吸込管１３内に吸い込まれる気体量を調節することができるので、微細気泡の量を調節することができる。
尚、実施の形態６においては、実施の形態１に記載の微細気泡発生器を用いたが、実施の形態２乃至５に記載の微細気泡発生器を用いても同様に実施可能である。
【００４９】
（実施の形態７）
次に、実施の形態７における微細気泡発生装置について、以下図面を参照しながら説明する。
図８は実施の形態７における微細気泡発生装置の使用状態図であり、図９は実施の形態７における液中ポンプの要部構成図である。
図８及び図９において、１は実施の形態１における微細気泡発生器、１ａは器体、１ｂは気液導入管、１ｃは気液導入孔、１ｄは気液噴出孔、１６は気体流量調節バルブ、１８は液相であり、これらは実施の形態１、６と同様のものなので同一の符号を付してその説明を省略する。
【００５０】
２１は実施の形態７における微細気泡発生装置、２２は吸込口２２ａ及び吐出口２２ｂを有する液中ポンプ、２２ｃは液中ポンプ２２の吸込室、２２ｄは吸込室２２ｃと仕切られたモータ室、２２ｅはモータ室２２ｄに配設され回転軸が吸込室２２ｃに達するモータ、２２ｆはモータ２２ｅの回転軸に配設されたインペラ、２２ｇは液中ポンプ２２の吸込口２２ａに異物が混入することを防止するストレーナである。ストレーナ２２ｇのストレーナ孔は後述する分岐管の内径より小さく形成されている。これにより、分岐管の異物による詰まりを防止することができる。
２３は上流側が液中ポンプ２２の吐出口２２ｂに接続された気液吐出管、２４は上流側が気液吐出管２３の所定部に接続された分岐管、２５は下流側が液中ポンプ２２の吸込口２２ａ付近で開口され上流側に分岐管２４の下流側が接続され内径が分岐管２４より大きい負圧管、２６は上流側の開口端部に後述のエア流量計が配設され下流側が負圧管２５に接続された気体導入管、２７は気体導入管２６の上流側の開口端部に配設され気体導入管２６への気体の吸い込み量を確認するためのエア流量計である。
【００５１】
以上のように構成された実施の形態７における微細気泡発生装置について、以下図面を参照しながらその動作を説明する。
モータ２２ｅを駆動させ、インペラ２２ｆが回転すると、液相１８の液体はストレーナ２２ｇを経て吸込口２２ａから吸込室２２ｃに吸い込まれる。吸込室２２ｃに流入した液体は吐出口２２ｂから気液吐出管２３内に吐出され、この液体の内の一部は分岐管２４を経て負圧管２５に流入する。
液体が分岐管２４から負圧管２５に流入する際、負圧管２５の内径は分岐管２４の内径より大きく形成されているので、負圧管２５内の圧力は分岐管２４内の圧力より低くなり負圧力が発生する。また、負圧管２５の下流側の開口部は吸込口２２ａ付近に配設されているので、インペラ２２ｆの吸込力による負圧力も発生する。これらの負圧力により、気体導入管２６から負圧管２５内に気体が吸い込まれ液体に混入し、気液混合流が生成される。気液混合流は、負圧管２５から吸込口２２ａを経て吸込室２２ｃに流入し、インペラ２２ｆによりある程度微細な気泡が作られながら、気液吐出管２３に流入する。気液混合流は、気液吐出管２３を経て微細気泡発生器１内に流入し、気液噴出孔１ｄから多量の微細気泡が流体となって噴出される。
尚、微細気泡発生器１内の流体の動作は、実施の形態１と同様のものなので、その説明を省略する。
尚、液中ポンプ２２に連接される気体導入管２６の端部を陸上に配置されたポンプの排水部に接続し、ポンプの給水管の取水口を水中に配置して、前記給水管に空気を取り入れる吸気部を設けて、微細気泡発生器１に空気を含む水流を供給することもできる。
さらに、この液中ポンプ２２を通水管を介して複数直列に配置して、遠方や深度の深い水底に微細気泡を含む水流を多量に供給させることも可能である。
【００５２】
以上のように構成された実施の形態７の微細気泡発生装置によれば、以下のような作用が得られる。
（１）液中ポンプ２２は液相１８中に配置されるので、陸上にポンプを配置するための場所を必要とせず、使用性に優れる。
（２）液中ポンプ２２の吸込口２２ａから直接流体を吸い込み、気液吸込管を必要としないので、部品点数が少なくなり生産性に優れる。
（３）負圧管２５が液中ポンプ２２の吸込口２２ａ付近に配設されているので、液中ポンプ２２のＯＮ／ＯＦＦ時に残圧がかからず、気体導入管２６に流体が逆流せず目詰まりを起こすことがない。
（４）気体流量調節バルブ７を調節することにより、気液吸込管に流入する気体の量を調節することができるので、微細気泡の量を調節することができる。
（５）液中ポンプ２２のインペラ２２ｆの回転力を直接利用するので、圧力損失が少なく、効率的に微細気泡発生器１を稼動させることができる。
（６）液中ポンプ２２の２２ｃに複数の微細気泡発生器１を配設して、多量の微細気泡を発生させ、ダムや河川などの浄化を行うことができる。
尚、実施の形態７においては、実施の形態１に記載の微細気泡発生器を用いたが、実施の形態２乃至５に記載の微細気泡発生器を用いても同様に実施可能である。
【００５３】
（実施の形態８）
次に、実施の形態８における微細気泡発生装置について、以下図面を参照しながら説明する。
図１０は実施の形態８における微細気泡発生装置の使用状態図であり、図１１は実施の形態８におけるエアポンプ兼用液中ポンプの内部構成図である。
図１０及び図１１において、２８ａはエアポンプ兼用液中ポンプ２８の上部に配設され吸込口２８ｂ及び吐出口２８ｃを有するエア送気部、２８ｄはエア送気部２８ａの駆動室、２８ｅはモータ２２ｅの上方に突出した回転軸に配設されたインペラである。モータ２２ｅの回転軸は、実施の形態７においては下方にのみ突出していたが、本実施の形態８においては上方及び下方に突出している。
【００５４】
２９は下流側がエア送気部２８ａの吸込口２８ｂに接続され上流側の開口端部に後述のエア流量計が配設された第１の気体導入管、３０は第１の気体導入管２９の上流側の開口端部に配設され第１の気体導入管２９への気体の吸い込み量を確認するためのエア流量計、３１は上流側がエアポンプ兼用液中ポンプ２８の吐出口２８ｃに接続され下流側が負圧管２５の所定部に接続された第２の気体導入管、３２は分岐管２４の所定部に配設された既存の手動弁等からなる分岐流量調節バルブである。エアポンプ兼用液中ポンプ２８やインペラ２２ｆにより充分に気体が負圧管２５内に供給される場合は、分岐流量調節バルブ３２を閉弁し気液吐出管２３内の流量を確保する。
なお、図面での説明の都合上、微細気泡発生器を１基液中ポンプ２２に配設したもので説明したが、エアポンプ兼用水中ポンプ２８の吸込室２２ｃの周囲に複数基の微細気泡発生器を設けてもよい。この場合全ての気液吐出管２３に分岐管を設けてもよい。
【００５５】
以上のように構成された実施の形態８における微細気泡発生装置について、以下図面を参照しながらその動作を説明する。
モータ２２ｅを駆動させ、液中ポンプ２２のインペラ２２ｆが回転すると、液相１８の液体はストレーナ２２ｇを経て吸込口２２ａから吸込室２２ｃに吸い込まれる。吸込室２２ｃに流入した液体は吐出口２２ｂから気液吐出管２３内に吐出され、この液体の内の一部は分岐管２４を経て負圧管２５に流入する。
また、液体が分岐管２４から負圧管２５に流入する際、負圧管２５の内径は分岐管２４の内径より大きく形成されているので、負圧管２５内に負圧力が発生する。また、負圧管２５の下流側の開口部は吸込口２２ａ付近に配設されているので、インペラ２２ｆの吸込力による負圧力も発生する。
【００５６】
一方、エアポンプ兼用液中ポンプ２８のインペラ２８ｅもモータ２２ｅの回転軸に配設されているので、気体が、第１の気体導入管２９、エアポンプ兼用液中ポンプ２８、第２の気体導入管３１を経て負圧管２５内に流入する。
これらの負圧力及びエアポンプ兼用液中ポンプ２８による吐出力により、第１の気体導入管２９、エア送気部２８ａ、第２の気体導入管３１及びチェックバルブ２８ｆを経て負圧管２５内に気体が吸い込まれ液体に混入し、気液混合流が生成される。気液混合流は、負圧管２５から吸込口２２ａを経て吸込室２２ｃに流入し、インペラ２２ｆによりある程度微細な気泡が作られながら、気液吐出管２３に流入する。気液混合流は、気液吐出管２３を経て微細気泡発生器１内に流入し、気液噴出孔１ｄから多量の微細気泡が流体となって噴出される。
尚、微細気泡発生器１内の流体の動作は、実施の形態１と同様のものなので、その説明を省略する。
【００５７】
以上のように構成された実施の形態８の微細気泡発生装置によれば、実施の形態７の作用に加え、以下のような作用が得られる。
（１）エア送気部２８ａのインペラ２８ｅが、液中ポンプ２２のモータ２２ｅの回転軸に配設されているので、別途エア送気用の駆動部を設ける必要がなく、生産性に優れるとともに小型化ができる。
（２）分岐管２４から負圧管２５への内径の変化及びインペラ２２ｆに負圧力に加え、エアポンプ兼用液中ポンプ２８の吸込力により気体を負圧管２５内に流入させるので、装置全体としての気体の吸込力が向上し、水圧が高い深海部等や比重の大きい液体中であっても微小気泡を発生させることができる。
（３）インペラ２２ｆによる負圧力及びエアポンプ兼用液中ポンプ２８の吸引力のみで、負圧管２５内に気体を流入させることができる場合は、分岐流調節バルブを調整して気液吐出管２３の流量を充分に確保することができる。
（４）複数の微細気泡発生器を液中ポンプの周囲に取付けることにより、多量の微細気泡を含んだ気液を放出できる。
尚、実施の形態８においては、実施の形態１に記載の微細気泡発生器を用いたが、実施の形態２乃至５に記載の微細気泡発生器を用いても同様に実施可能である。
【００５８】
（実施の形態９）
次に、実施の形態９における微細気泡発生装置について、以下図面を参照しながら説明する。
図１２（ａ）は実施の形態９における微細気泡発生装置の微細気泡発生器の接続部を示す要部平面図であり、図１２（ｂ）はその要部側面図である。
図１２において、１は微細気泡発生器、１ａは円周上に多数配列された球状の器体、１ｂは気液導入管、１ｃは気液導入孔、１ｄは気液噴出孔、１４は各気液導入管１ｂに気液を供給する気液吐出管であり、これらは実施の形態１、６と同様のものであるので、同一の符号を付してその説明を省略する。
実施の形態９の微細気泡発生装置の気液吐出管１４には複数の微細気泡発生器１の気液導入孔１ｂが連通している。気液混合流体は気液吐出管１４から各々の微細気泡発生器１に流入し各々の気液噴出孔１ｄから微細気泡を多量に含む流体が噴出される。
以上のように構成された実施の形態９の微細気泡発生装置によれば、複数の微細気泡発生器１から一気に微細気泡を含む流体が噴出され、多量の微細気泡をより広範囲に放出させることができるという作用が得られる。
【００５９】
（実施の形態１０）
次に、実施の形態１０における微細気泡発生装置について、以下図面を参照しながら説明する。
図１３は実施の形態１０における微細気泡発生器の要部側面断面図である。
図１３において、４０は実施の形態１０の微細気泡発生器、４１は略回転対称に形成された中空部を有する器体、４２は器体４１の周壁部に接線方向に開口された気液導入孔、４３は気液導入孔４２に接続される気液導入管、４４、４５は器体４１の回転対称軸の左右両側にそれぞれ開口した気液噴出孔、４６は気液噴出孔４４、４５の流体噴出方向に拡径して形成された傾斜部である。
【００６０】
実施の形態１０の微細気泡発生器４０は、器体４１の左右に開口して形成された気液噴出孔４４、４５の傾斜部４６の角度θ２、θ１を互いに異ならせている点で実施の形態１の微細気泡発生器１と相違している。
ここでは、傾斜部の角度θ１を４０〜７５度の範囲として、角度θ２を１００〜１６０度の範囲としている。
これによって、微細気泡発生器４０の左右両側に噴出される微細気泡を含む気液混合流体の流れは全体として、角度の小さい方の気液噴出孔４５側の流れが角度の大きい方の気液噴出孔４４側より優勢になる。このため、全体として気液噴出孔４４から吐出される気液混合流体の流れが気液噴出孔４５側に吸引されて全体として、気液噴出孔４５側に方向性を持たせて気液混合流体を吐出させることができる。
また、前記傾斜部４６における角度の調整に加えて、各気液噴出孔４４、４５の最小径ｄ２、ｄ１と中空部の最大径Ｄとの比（ｄ１／Ｄ又はｄ２／Ｄ）を左右で異ならせることにより、各流量をバランスさせることも可能であり、これらの設定によって、反応容器等における流動状態や撹拌状態を適正にコントロールすることもできる。
【００６１】
実施の形態１０の微細気泡発生器４０は以上のように構成されているので、実施の形態１の作用の他、以下の作用が得られる。
（１）気液噴出孔４４、４５の内周壁に噴出側に向かって所定角度で拡径する傾斜部４６を有しているので、微細気泡を含む水流が拡散する範囲を所定角度内に限定して水流内の圧力を変動させることができ、この部分的な圧力の変動により微細気泡を流体内に効果的に発生させることができる。
（２）傾斜部４６における角度や噴出方向の長さを、供給する水の水質や圧力、流量、温度等に応じて、それぞれ調整することで、水流に拡散させる微細気泡の大きさや気泡の集合形態等を微妙に変化させることもできる。
（３）回転対称軸の両側に気液噴出孔４４、４５を配置しているので、それぞれの傾斜部４６における傾斜角度を異ならせることにより、微細気泡発生器４０から全体的に噴出される水流に特定の方向性を付与することができ、化学反応槽や浄化槽等における制御性に優れている。
（４）傾斜部４６における角度の調整に加えて、各気液噴出孔４４、４５の最小径ｄ２、ｄ１と中空部の最大径Ｄとの比（ｄ１／Ｄ又はｄ２／Ｄ）を左右で異ならせることにより、左右の流量をそれぞれ調整して、反応容器等における水流の状態や撹拌状態を適正にコントロールすることができる。
【００６２】
（実施の形態１１）
実施の形態１１における微細気泡発生器について、以下図面を参照しながら説明する。
図１４（ａ）は実施の形態１１における微細気泡発生器の要部斜視図であり、図１４（ｂ）はその側面図であり、図１４（ｃ）はその正面図である。
図１４において、１０１はプールや鮮魚運搬車の水や海水、反応槽の液等の液相内に配置される実施の形態１１の微細気泡発生器、１０２は後部側から前端部へ集束する形状（砲弾形状）の中空部を有する合成樹脂製や金属製の器体、１０３は器体１０２の側壁の後部に接線方向に配設固定された気液導入管、１０４は器体１０２の接線方向に開口された気液導入管１０３の気液導入孔、１０５は器体１０２の前端部に穿設され後述の固定キャップ部の隆起部の外形に合わせて縁部が器体１０２の内部に向かって湾曲した形状を有する気液噴出孔、１０６は器体１０２の気液噴出孔１０５の外周壁の近傍に等距離で３カ所突設されたキャップ支持部、１０７は気液噴出孔１０５の外形に沿った形状の隆起部１０７ａが気液噴出孔１０５に間隙１０５ａを介して遊嵌され隆起部１０７ａから放射状に延設された延設部１０７ｂがキャップ支持部１０６にネジ等により固定された固定キャップ部である。
【００６３】
固定キャップ部１０７の延設部１０７ｂはゴム体等の可撓性材料で形成されており、これにより、隆起部１０７ａは、延設部１０７ｂの撓みの許容範囲内で吐出方向に前後動する。これに応じて間隙１０５ａの大きさが変化する。尚、延設部１０７ｂを可撓性材料で形成しない場合もあるが、この場合は隆起部１０７ａが動くことができないので、間隙１０５ａの大きさは微細気泡の球径、気液導入孔１０４や気液噴出孔１０５の径、器体１０２の形状や容積、ポンプの吐出圧等に応じて適宜選択される。
【００６４】
以上のように構成された実施の形態１１における微細気泡発生器について、以下図面を参照しながらその動作を説明する。
図１５は実施の形態１１における微細気泡発生器の流体の状態を示す要部側面状態図である。
Ｖは微細気泡発生器１０１内を旋回する気液混合流体の気体に働く向心力により形成される負圧軸である。
気液導入孔１０４から（接線方向から）器体１０２内に気液混合流体を高圧で流入させると、この気液混合流体は、器体１０２の内壁面に沿って旋回し激しく気液混合されながら、気液噴出孔１０５側へ移動していく。この際、液体と気体との比重の差によって、液体には遠心力が働き、気体には向心力が働き、負圧軸Ｖが形成される。この負圧軸Ｖにより固定キャップ部１０７を器体１０２内に吸引しようとする力が働き、また、固定キャップ部１０７の延設部１０７ｂはゴム体等の可撓性材料で形成されているので、隆起部１０７ａが気液噴出孔１０５を覆うように移動し、間隙１０５ａが狭まる。一方、器体１０２内の気液混合流体は、器体１０２の内壁面に沿って、旋回しながら気液噴出孔１０５に近づくにつれて、器体１０２の内壁面が絞られているので、旋回速度が速くなり、気液噴出孔１０５付近で旋回速度は最大となり、固定キャップ部１０７の隆起部１０７ａと押し合う状態になる。よって、負圧軸Ｖに集まった気体は、隆起部１０７ａの気液噴出孔１０５側の曲面と旋回しながら噴出する気液混合流体との間を圧縮・剪断されながら通過し、多量の数μｍオーダーの微細気泡として気液噴出孔１０５から液相へ噴出される。気液混合流体の圧力に応じて負圧が変化するので、負圧に応じて隆起部１０７ａの気液噴出孔１０５への接近度が変化し、その変化に応じて気泡の平均粒径を調整する。
尚、本実施の形態１１においては、気液噴出孔１０５の縁部の形状は、器体１０２の内部に向かって湾曲した形状としたが、平面状でも同様に実施可能である。
【００６５】
以上のように構成された実施の形態１１の微細気泡発生器によれば、以下のような作用が得られる。
（１）固定キャップ部１０７は、気液混合流体の旋回方向に対して動かないので（回転しないので）、旋回流と固定キャップ部１０７の隆起部１０７ａとの間に剪断力が生じ、より微細なミクロン単位かそれ以下の気泡を発生させることができる。
（２）固定キャップ部１０７の延設部１０７ｂは可撓性材料からなるので隆起部１０７ａは負圧軸Ｖにより気液噴出孔１０５方向に吸引され、気液噴出孔１０５から噴出する気体は隆起部１０７ａに沿って流れ、旋回噴出流体の動きにより圧縮・剪断されるので、より微細な気泡を発生させることができる。
（３）気液噴出孔１０５の縁部の形状が、隆起部１０７ａの外形に合わせて器体１０２の内部に向かって湾曲した形状を有しているので、隆起部１０７ａが負圧軸Ｖに吸引された際に間隙１０５ａがより狭くなり、気液噴出孔１０５から噴出される気体がより強く圧縮されるので、より微細な気泡を発生できる。
（４）流体中に微細気泡を多量に有しているので、気体と液体の接触面積を大きくすることができ、気液反応装置における反応や、曝気槽や浄化装置における浄化、又は河川や湖沼、ダム等における浄化を促進させることができる。また、養殖池や養殖場もしくは鮮魚運搬車の水（海水）中の溶存酸素量を増加させることができる。
（５）延設部１０７ｂは可撓性材料からなるので、ポンプの吐出圧や気液導入孔１０４や気液噴出孔１０５の径、器体１０２の形状や容積に対応して（負圧軸Ｖの吸引力に対応して）間隙１０５ａの大きさも変化し、汎用性に優れる。
（６）気液混合流体の圧力を調整するだけで、気泡の平均粒径を調整できる。
（７）外部の液体を固定キャップ部によって分断しているため、負圧液の形成が最小限に抑えられ、器体内での噴出旋回抵抗が少なく、水流の回転が速くなり微細な気泡が得られる。
【００６６】
（実施の形態１２）
実施の形態１２における微細気泡発生器について、以下図面を参照しながら説明する。
図１６（ａ）は実施の形態１２における微細気泡発生器の斜視図であり、図１６（ｂ）はその要部正面図であり、図１６（ｃ）はその要部側面図である。
図１６において、１０６はキャップ支持部、１０７は固定キャップ部、１０７ａは隆起部、１０７ｂは延設部であり、これらは実施の形態１１と同様のものであるので同一の符号を付してその説明を省略する。
【００６７】
１２１はプールや鮮魚運搬車の水や海水、反応槽の液等の液相内に配置される実施の形態１２における微細気泡発生器、１２２は中間部から両端部に向かって収束する卵形状の中空部を有する器体、１２３は器体１２２の中間部に接線方向に配設固定された気液導入管、１２４は器体１２２の中間部に接線方向に開口された気液導入管１２３の気液導入孔、１２５は器体１２２の両端部に穿設された気液噴出孔、１２５ａは隆起部１０７ａの曲面と気液噴出孔１２５の縁部との間隙である。
尚、本実施の形態１２の微細気泡発生器１２１が、実施の形態１の微細気泡発生器と異なる点は器体１２２の中空部が卵形状に形成され、器体１２２の両端部の気液噴出孔１２５に固定キャップ部１０７が付いている点にある。
【００６８】
以上のように構成された実施の形態１２における微細気泡発生器について、以下図面を参照しながらその動作を説明する。
図１７は実施の形態１２における微細気泡発生器の流体の状態を示す要部断面状態図である。
Ｗは微細気泡発生器１２１内を旋回する気液混合流体の気体に働く向心力により形成される負圧軸である。
気液導入孔１２４から（接線方向から）器体１２２内に高圧の気液混合流体を流入させると、この気液混合流体は、器体１２２の内壁面に沿って旋回し激しく気液混合されながら、器体１２２の両端部に穿設された気液噴出孔１２５側へ各々移動していく。この際、液体と気体との比重の差によって、液体には遠心力が働き、気体には向心力が働き、負圧軸Ｗが形成される。負圧軸Ｗにより両端の固定キャップ部１０７の隆起部１０７ａを器体１２２内に吸引しようとする力が働き、また、固定キャップ部１０７の延設部１０７ｂは可撓性材料で形成されているので、隆起部１０７ａが気液噴出孔１２５を覆うように移動し間隙１２５ａが狭まる。一方、器体１２２内の気液混合流体は、器体１２２の内壁面に沿って旋回し気液噴出孔１２５に近づくにつれて、旋回速度が速くなり、気液噴出孔１２５付近で旋回速度は最大となり、固定キャップ部１０７の隆起部１０７ａと押し合う状態になる。よって、負圧軸Ｗに集まった気体は、隆起部１０７ａの気液噴出孔１２５側の曲面と旋回しながら噴出する気液混合流体との間を圧縮・剪断されながら通過し、多量の微細気泡として器体１２２の両端に穿設された気液噴出孔１２５から液相中へ噴出される。
【００６９】
以上のように構成された実施の形態１２の微細気泡発生器によれば、実施の形態１１の作用に加え、以下のような作用が得られる。
（１）微細気泡発生器１２１の器体１２２には、気液導入孔１２４を中心として器体１２２の両側に気液噴出孔１２５が穿設されているので、多量の微細気泡を微細気泡発生器１２１の両側から広範囲に噴出させることができる。
【００７０】
（実施の形態１３）
実施の形態１３における微細気泡発生器について、以下図面を参照しながら説明する。
図１８（ａ）は実施の形態１３における微細気泡発生器の斜視図であり、図１８（ｂ）はその正面図であり、図１８（ｃ）はその側面図である。
図１８において、１０６はキャップ支持部、１２２は器体、１２３は気液導入管、１２４は気液導入孔、１２５は気液噴出孔であり、これらは実施の形態１２と同様のものであるので同一の符号を付してその説明を省略する。
１３１はプールや鮮魚運搬車の水や海水、反応槽の液等の液相内に配置される実施の形態１３における微細気泡発生器、１３２は中央に円形状の孔部１３２ｃを有する枠部１３２ａを各々の気液噴出孔１２５に対向させて枠部１３２ａの周部に延設された立ち上がり部１３２ｂが各々のキャップ支持部１０６に配設された枠状フレームである。尚、キャップ支持部１０６を配設せずに立ち上がり部１３２ｂの端部を器体１２２に直接固定して枠状フレーム１３２を配設する場合もある。１３３は一端側が枠部１３２ａの孔部１３２ｃに遊嵌され他端側が気液噴出孔１２５に遊嵌され枠部１３２ａと気液噴出孔１２５との間で移動回転自在に又は枠部１３２ａに固定して配設されたボール状のキャップ部である。キャップ部１３３が移動することによってキャップ部１３３と気液噴出孔１２５との間隙１２５ｂが変化する。キャップ部１３３は、合成樹脂製や合成ゴム製、アルミニウム合金等の金属製等の軽量で噴出する流体や負圧軸の圧力に耐えられるものが用いられる。
【００７１】
以上のように構成された実施の形態１３における微細気泡発生器について、以下図面を参照しながらその動作を説明する。
図１９は実施の形態１３における微細気泡発生器の流体の状態を示す要部正面状態図である。
Ｘは微細気泡発生器１３１内を旋回する気液混合流体の気体に働く向心力により形成される負圧軸である。
尚、気液混合流体が気液導入孔１２４から器体１２２内に流入し旋回しながら気液噴出孔１２５に達するまでの動作は実施の形態１２と同様なので、その説明を省略する。
器体１２２内を旋回する気液混合流体により負圧軸Ｘが形成されると、負圧軸Ｘによりボール状のキャップ部１３３を器体１２２内に吸引しようとする力が働き、また、キャップ部１３３は枠部１３２ａと気液噴出孔１２５との間を移動自在に配設されているので、キャップ部１３３は気液噴出孔１２５側へ移動し、間隙１２５ｂが狭まる。
なお、ボール状のキャップ部１３３を枠部１３２ａに固定して配設した場合には、キャップ部１３３と気液噴出孔１２５との間の間隔が変化しないので安定水流を吐出させることができる。
【００７２】
また、旋回しながら気液噴出孔１２５から噴出される気液混合流体によりキャップ部１３３は回転させられる。一方、器体１２２内の気液混合流体は、器体１２２の内壁に沿って旋回しながら気液噴出孔１２５に近づくにつれて、旋回速度が速くなり、気液噴出孔１２５付近で旋回速度は最大となり、キャップ部１３３と押し合う状態になる。よって、負圧軸Ｘに集まった気体は、旋回している気液混合流体と回転しているキャップ部１３３の曲面との間を圧縮・剪断されながら通過し、多量の微細気泡として器体１２２の両端に穿設された気液噴出孔１２５から液相中へ噴出される。気液混合流体の圧力に応じて負圧軸Ｘの負圧が変動し、その変動に応じてキャップ部１３３が気液噴出孔１２５側に近づいたり離れたりして、それにより気泡の粒径を調整する。
なお、キャップ部１３３と気液噴出孔１２５との間隔を適正値に固定しておくことにより、所定粒径の気泡が噴出できるようにして適正状態を維持させ、安定に微細気泡発生器１３１を作動させることもできる。
【００７３】
以上のように構成された実施の形態１３の微細気泡発生器によれば、以下のような作用が得られる。
（１）キャップ部１３３は気液噴出孔１２５と枠部１３２ａとの間で移動、回転自在に配設されているので、負圧軸Ｘによりキャップ部１３３は気液噴出孔１２５方向に移動し間隙１２５ｂが狭まり、気液噴出孔１２５から噴出する気体はキャップ部１３３で圧縮・剪断され、より微細な気泡を発生させることができる。
（２）器体１２２内に気液混合流体が流入している時は、キャップ部１３３は負圧軸Ｘの吸引力と噴出する気液混合流体の噴出方向の力とにより所定の位置で保持されるので、枠部１３２ａや気液噴出孔１２５に接触することがほとんどなく、磨耗しにくく、耐久性に優れる。
（３）微細気泡発生器１３１の器体１２２には、気液導入孔１２４を中心として器体１２２の両側に気液噴出孔１２５が穿設されているので、多量の微細気泡を含んだ流体を微細気泡発生器１３１の両側から広範囲に噴出させることができる。
（４）微細気泡を多量に発生させるので、気体と液体の接触面積を大きくすることができ、気液反応装置における反応や、曝気槽や浄化装置における浄化を促進させることができる。また、養殖池や養殖場もしくは鮮魚運搬車の水（海水）中の溶存酸素量を増加させることができる。
（５）気液混合流体の圧力を調整するだけで、気泡の平均粒径を調整できる。
【００７４】
（実施の形態１４、実施の形態１５）
実施の形態１４における微細気泡発生器及びそれを備えた実施の形態１５における微細気泡発生装置について、以下図面を参照しながら説明する。
図２０（ａ）は実施の形態１４における多段式微細気泡発生器の斜視図であり、図２０（ｂ）はその背面図であり、図２１は実施の形態１５の多段式の微細気泡発生装置の構成図である。
図２０において、２０１は実施の形態１４における多段式に形成された微細気泡発生器、２０２は後部側から前端部に向かって収束する略円錐台形状の中空部を有する器体（先端ノズル）、２０３は器体２０２の前端部（頂部）に穿設された気液噴出孔（先端噴出孔）、２０４ａは器体２０２の後部側に接線方向に開口された気液導入孔（先端液体導入孔）、２０４ｂは気液導入孔２０４ａに連通して配設された液体又は気液混合流体が導入される気液導入管（先端液体導入管）、２０５は前部側が器体２０２の後部側の内部に配設され後部側から前端部に向かって収束する形状で開口された内部ノズル部、２０６は内部ノズル部２０５の前端部に開口された二次噴出孔、２０６ａは内部ノズル部２０５の背後に円筒状に形成された内部中空部、２０７ａは内部中空部２０６ａに気液導入孔２０４ａと同一方向の接線方向に開口された二次液体導入孔、２０７ｂは二次液体導入孔２０７ａに連通して配設された二次液体導入管、２０８は内部中空部２０６ａの後端部に穿設された内部ノズル部気体自吸孔（気体自吸孔）である。
図示するように器体２０２にはその内部に、内部ノズル部２０５及び、内部中空部２０６ａ、二次液体導入管２０７ｂとを備えた旋回流発生部、気体自吸孔２０８が配置されていて、これによって、器体２０２の中空部における旋回水流を加速、撹拌してより微細な気泡が発生し易いようにしている。
【００７５】
２０９は実施の形態１５における微細気泡発生装置、２１０は吸込口２１０ａと吐出口２１０ｂとを有し先端側液体を器体２０２内に送り込む先端ポンプ、２１１は上流側が先端ポンプ２１０の吐出口２１０ｂに接続され下流側が気液導入管２０４ｂに接続された先端側吐出管、２１２は下流側が先端ポンプ２１０の吸込口２１０ａに接続された先端側吸込管、２１３は一端が内部ノズル部気体自吸孔２０８に接続され他端が空気中等で開口された気体自吸管、２１４は吸込口２１４ａと吐出口２１４ｂとを有し二次側液体を内部ノズル部２０５内に送り込む二次ポンプ、２１５は上流側が二次ポンプ２１４の吐出口２１４ｂに接続され下流側が二次液体導入管２０７ｂに接続された二次側吐出管、２１６は下流側が二次ポンプ２１４の吸込口２１４ａに接続された二次側吸込管、２１７は気体自吸管２１３の所定部に配設された気体流量調節バルブである。
【００７６】
以上のように構成された実施の形態１４における微細気泡発生器及びそれを備えた実施の形態１５における微細気泡発生装置について、以下図面を参照しながらその動作を説明する。
図２２は微細気泡発生器内部の流体の状態を示す要部側面断面図である。
図２２において、２０１は微細気泡発生器、２０２は器体、２０３は気液噴出孔、２０４ａは先端流体導入孔、２０４ｂは先端流体導入管、２０５は内部ノズル部、２０６は二次噴出孔、２０７ａは二次液体導入孔、２０７ｂは二次液体導入管、２０８は内部ノズル部気体自吸孔であり、これらは図２０と同様のものであるので、同一の符号を付してその説明を省略する。
尚、説明の便宜上、先端ポンプにより吸い込まれる液体を先端側液体、二次ポンプにより吸い込まれる液体を二次側液体とする。先端側液体や二次側液体としては、同種のものでも異種のものでもよく、水や薬液、反応液、燃料等が用いられる。また、気体としては、汚水処理槽等の場合には空気、プール等の水の殺菌の場合にはオゾン、化学反応の場合は反応ガス（ＨＣＮ、ＨＣｌ、ＳＯ2、ＮＯ2等）等が用いられる。
【００７７】
２１８は器体２０２内へ侵入しようとする負圧液と器体２０２外へ噴出される先端側液体及び二次側液体とによって形成された気液噴出孔２０３における境界部分、Ｘは器体２０２及び内部ノズル部２０５内を旋回する気液混合流体により形成される負圧軸である。
二次ポンプ２１４を駆動させると、二次側液体は、二次側吸込管２１６、二次ポンプ２１４、二次側吐出管２１５を経て、二次液体導入管２０７ｂから内部ノズル部２０５内へ連続的に流入し、旋回し収束されながら二次噴出孔２０６側へ移動していく。この際、二次側液体には遠心力が働き、旋回流の中心は負圧になるので、内部ノズル部気体自吸孔２０８から気体が吸い込まれ、内部ノズル部気体導入孔２０８から二次噴出孔２０６にかけて負圧軸が形成される。
一方、先端ポンプ２１０を駆動させると、先端側液体は、先端側吸込管２１２、先端ポンプ２１０、先端側吐出管２１１を経て、先端流体導入管２０４ｂから器体２０２内へ連続的に流入し、旋回し収束されながら気液噴出孔２０３側へ移動していく。また、器体２０２内に二次噴出孔２０６から先端側液体と旋回方向が同一の二次側液体が進入する。この際、器体２０２内の二次側液体及び先端側液体には遠心力が働き、旋回流の中心には負圧が働くので、内部ノズル部２０５内に形成された負圧軸が気液噴出孔２０３まで延び、負圧軸Ｘが形成される。
【００７８】
器体２０２の外側の気液噴出孔２０３付近の流体には、負圧軸Ｘにより、気液噴出孔２０３から器体２０２内へ進入しようとする力が働く。一方、器体２０２内において、先端側液体及び二次側液体は混合・旋回しながら気液噴出孔２０３に近づくにつれて、旋回速度が速くなるとともに圧力が高くなり、気液噴出孔２０３付近で旋回速度及び圧力は最大となり、負圧液と押し合う状態となる。先端側液体及び二次側液体は負圧液を避けるようにして、気液噴出孔２０３の縁部付近から流出する。また、負圧軸Ｘに集まった気体は、負圧液と先端側液体及び二次側液体との境界部分２１８で剪断され多量の微細気泡となって気液噴出孔２０３から噴出する。
【００７９】
以上のように構成された実施の形態１４の微細気泡発生器及びそれを備えた実施の形態１５における微細気泡発生装置によれば、以下のような作用が得られる。
（１）二次噴出孔２０６から器体２０２内へ、二次側液体が旋回しながら進入するので、先端側液体と二次側液体とを効率よく混合させることができる。
（２）二次噴出孔２０６から器体２０２内へ、二次側液体が旋回しながら進入するので、二次側液体の旋回力に先端側液体の旋回力が加わり、より強い旋回流が生じるので、勢い良く、より広範囲へ微細気泡を噴出させることができる。
（３）気体流量調節バルブ２１７を調節することにより、液体に混入する気体量を調節することができるので、発生する微細気泡の大きさや量を調節することができる。
（４）微細気泡の粒径を１００μｍ以下に、液体や気体の流入量や旋回速度を調整するだけで自由にコントロールできる。
（５）微細気泡なので、気泡の表面積が極めて大きく、汚水や反応液、中和液に空気や反応ガスを高い吸収率や反応率で供給できる。
（６）内部ノズル部気体自吸孔２０８から気体が吸い込まれるので、汚水に高い吸収率で大気中の空気を自動的に供給でき、メンテナンスフリーで汚水処理の省力化を図ることができる。
（７）気体自吸管２１３を大気に開放したり、目的とする吸収もしくは反応ガス（例えば、ＣＯ2、ＨＣｌ、ＨＣＮ、ＳＯ2、ＣＯＣｌ2、フッ素化合物ガス等他の反応ガス）に接続するだけで液体に気体を吸収もしくは反応させることができる。
（８）多段式なので、各段に同一又は多種の液体と気体を供給することにより、高い効率で液体に気体を吸収又は反応させることができる。
（９）液体の供給量を調整するだけで気体の吸込量を調整でき、作業性、省力性に優れる。
（１０）混合される原液体の粘度や旋回量、流量に応じて、最適の液体導入管に気体を導入でき、処理や反応の自在性に優れる。
（１１）ポンプ２１０、２１４を介して多くの種類の液体や気体を一度に混合することもできる。
【００８０】
（実施の形態１６、実施の形態１７）
次に、実施の形態１６における微細気泡発生器及びそれを備えた実施の形態１７における微細気泡発生装置について、以下図面を参照しながら説明する。
図２３（ａ）は実施の形態１６における微細気泡発生器の斜視図であり、図２３（ｂ）はその背面図である。
図２３において、２０２は器体、２０３は気液噴出孔、２０４ａは先端液体導入孔、２０４ｂは先端液体導入管、２０５は内部ノズル部、２０６は二次噴出孔、２０７ａは二次液体導入孔、２０７ｂは二次液体導入管であり、これらは実施の形態１４と同様のものなので同一の符号を付してその説明を省略する。
２２１は実施の形態１６における微細気泡発生器である。
本実施の形態１６における微細気泡発生器２２１が実施の形態１４における微細気泡発生器２０１と異なる点は、内部ノズル部２０５の後部に内部ノズル部気体自吸孔２０８がない点である。
【００８１】
図２４は実施の形態１７における微細気泡発生装置の構成図である。
図２４において、２１０は先端ポンプ、２１０ａは吸込口、２１０ｂは吐出口、２１１は先端側吐出管、２１２は先端側吸込管、２１４は二次ポンプ、２１４ａは吸込口、２１４ｂは吐出口、２１５は二次側吐出管、２１６は二次側吸込管、２１７は気体流量調節バルブ、２２１は実施の形態１６における微細気泡発生器である。
２２２は実施の形態１７における微細気泡発生装置、２２３は一端側が二次側吸込管２１６に接続され他端側が空気中で開口された気体自吸管である。
実施の形態１７における微細気泡発生装置が、実施の形態１５における微細気泡発生装置と異なる点は、気体自吸管２２３が二次側吸込管２１６に接続されている点である。
【００８２】
以上のように構成された実施の形態１６における微細気泡発生器及びそれを備えた実施の敬体における微細気泡発生装置について、以下図面を参照しながらその動作を説明する。
尚、説明の便宜上、先端ポンプにより吸い込まれる液体を先端側液体、二次ポンプにより吸い込まれる液体を二次側液体とする。
二次ポンプ２１４を駆動させると、二次側吸込管２１６から二次側液体が吸込口２１４ａから二次ポンプ２１４内に吸い込まれる。この際、二次側吸込管２１６の気体自吸管２２３との接続部において、気体自吸管２２３から二次側吸込管２１６へ、気体が二次側液体の随伴流として吸引され、二次側液体は気液混合流体となる。気泡が混合した二次側液体は、二次ポンプ２１４内でインペラ（図示せず）により、気泡が拡散されながら吐出口２１４ｂから吐出され内部ノズル部２０５内に流入する。
尚、器体２０２及び内部ノズル部２０５内の動作は実施の形態１４と同様のものなので、その説明を省略する。
【００８３】
以上のように構成された実施の形態１６の微細気泡発生器及びそれを備えた実施の形態１７における微細気泡発生装置によれば、実施の形態１４、１５の（１）乃至（１０）の作用に加え、以下のような作用が得られる。
（１）気体自吸管２２３は二次側吸込管２１６に接続されており、内部ノズル部２０５には、気体を取り込むための孔等がないので、微細気泡発生器２０１を化学反応槽や汚水処理槽等に用いる場合、先端ポンプ２１０や二次ポンプ２１４のＯＮ／ＯＦＦ時等に装置内に残圧が残っていて、流体が逆流しても反応物や汚物により目詰まりを起こすことがない。
（２）二次側液体内に混入した気体は、二次ポンプ２１４内でインペラにより、拡散されるので、さらに微細な気泡を発生することができる。
【００８４】
（実施の形態１８、実施の形態１９）
次に、実施の形態１８における微細気泡発生器及びそれを備えた実施の形態１９における微細気泡発生装置について、以下図面を参照しながら説明する。
図２５（ａ）は実施の形態１８における微細気泡発生器の斜視図であり、図２５（ｂ）はその背面図である。
図２５において、２０２は器体、２０３は気液噴出孔、２０４ａは先端流体導入孔、２０４ｂは先端流体導入管、２０５は内部ノズル部、２０６は二次噴出孔、２０８は内部ノズル部気体自吸孔であり、これらは実施の形態１４と同様のものなので同一の符号を付してその説明を省略する。
２３１は実施の形態１８における多段式の微細気泡発生器、２３２ｂは内部ノズル部２０５の後部側に気液導入管２０４ｂと逆方向の接線方向に開口された二次液体導入孔２３２ａ（図２７参照）に連通して配設された二次液体導入管である。
実施の形態１８における微細気泡発生器２３１が実施の形態１４における微細気泡発生器２０１と異なる点は、二次液体導入管２３２ｂの二次液体導入孔２３２ａが先端流体導入管２０４ｂの先端流体導入孔２０４ａと同一方向でなく逆方向に開口された点である。
【００８５】
図２６は実施の形態１９における微細気泡発生装置の構成図である。
図２６において、２０２は器体、２０３は気液噴出孔、２０４ｂは先端流体導入管、２０５は内部ノズル部、２０８は内部ノズル部気体自吸孔、２１０は先端ポンプ、２１０ａは吸込口、２１０ｂは吐出口、２１１は先端側吐出管、２１２は先端側吸込管、２１３は気体自吸管、２１４は二次ポンプ、２１４ａは吸込口、２１４ｂは吐出口、２１５は二次側吐出管、２１６は二次側吸込管、２１７は気体流量調節バルブ、２３１は実施の形態１８における多段式の微細気泡発生器、２３２ｂは二次液体導入管であり、これらは図２１又は図２５と同様のものなので、同一の符号を付してその説明を省略する。
２３３は実施の形態１９における微細気泡発生装置である。
【００８６】
以上のように構成された実施の形態１８における微細気泡発生器及びそれを備えた実施の形態１９における微細気泡発生装置について、以下図面を参照しながらその動作を説明する。
尚、説明の便宜上、先端ポンプにより吸い込まれる液体を先端側液体、二次ポンプにより吸い込まれる液体を二次側液体とする。
図２７は微細気泡発生器内部の流体の状態を示す要部側面断面図である。
図２７において、２０２は器体、２０３は気液噴出孔、２０４ａは先端流体導入孔、２０４ｂは先端流体導入管、２０５は内部ノズル部、２０６は二次噴出孔、２０８は内部ノズル部気体自吸孔、２３１は多段式の微細気泡発生器、２３２ａは二次液体導入孔、２３２ｂは二次液体導入管であり、これらは図２５と同様のものであるので、同一の符号を付してその説明を省略する。
【００８７】
Ｙは内部ノズル部２０５内を旋回する気液混合流体により形成される負圧軸である。
二次ポンプ２１４を駆動させると、二次側液体は、二次側吸込管２１６、二次ポンプ２１４、二次側吐出管２１５を経て、二次液体導入管２３２ｂから内部ノズル部２０５内へ連続的に流入し、旋回しながら二次噴出孔２０６側へ移動していく。この際、二次側液体には遠心力が働き、旋回流の中心には負圧が働いて内部ノズル部気体自吸孔２０８から気体が吸い込まれ、負圧軸Ｙが形成される。
一方、先端ポンプ２１０を駆動させると、先端側液体は、先端側吸込管２１２、先端ポンプ２１０、先端側吐出管２１１を経て、先端流体導入管２０４ｂから器体２０２内へ連続的に流入し、二次側液体の逆方向に旋回しながら気液噴出孔２０３側へ移動していく。また、器体２０２内に二次噴出孔２０６から旋回方向が先端側液体の逆の二次側液体が進入する。
【００８８】
二次噴出孔２０６付近の先端側液体には、内部ノズル部２０５内の負圧軸Ｙにより、二次噴出孔２０６から内部ノズル部２０５内へ進入しようとする力が働く。一方、内部ノズル部２０５内において、二次側液体は旋回しながら二次噴出孔２０６に近づくにつれて、旋回速度が速くなるとともに圧力が高くなり、二次噴出孔２０６付近で旋回速度及び圧力は最大となり、負圧液と押し合う状態となる。二次側液体は負圧液を避けるようにして、二次噴出孔２０６の縁部付近から流出する。また、負圧軸Ｙに集まった気体は、負圧液と二次側液体との間隙を圧縮気体となって通過し、器体２０２内へ二次側液体とともに多量の微細気泡となって内部ノズル部２０５の二次噴出孔２０６から噴出し先端側液体と混合された後、器体２０２の気液噴出孔２０３から噴出する。
【００８９】
以上のように構成された実施の形態１８の微細気泡発生器及びそれを備えた実施の形態１９の微細気泡発生装置によれば、以下のような作用が得られる。
（１）二次側液体の旋回方向は先端側液体の旋回方向と逆なので、負圧軸Ｙに収束された気体は二次噴出孔２０６から器体２０２内へ進入した瞬間に微細気泡となり、二次側液体及び微細気泡は旋回する先端側液体と効率よく混合され、気液噴出孔２０３から噴出する。よって、器体２０２及び内部ノズル部２０５が空気中に配置されていても微細気泡を多量に含有した液体を噴出できる。
（２）気体流量調節バルブ２１７を調節することにより、二次側液体に混入する気体量を調節することができるので、発生する微細気泡の大きさや量を調節することができる。
（３）微細気泡の粒径が数μｍ〜１００μｍに、液体や気体の流入量や旋回速度を調整するだけで自由にコントロールできる。
（４）微細気泡なので、気泡の表面積が極めて大きく、汚水や反応液、中和液に空気や反応ガスを高い吸収率や反応率で供給できる。
（５）気体自吸管２１３を大気に開放したり、目的とする吸収もしくは反応ガス（例えば、ＣＯ2、ＨＣｌ、ＨＣＮ、ＳＯ2、ＣＯＣｌ2、フッ素化合物ガス等他の反応ガス）に接続するだけで液体に気体を吸収もしくは反応させることができる。
（６）多段式なので、各段に同一又は異種の液体と気体を供給することにより、高い効率で液体に気体を吸収又は反応させることができる。
（７）液体の供給量を調整するだけで気体の吸込量を調整でき、作業性、省力性に優れる。
（８）混合される原液体の粘度や旋回量、流量に応じて、最適の液体導入管に気体を導入でき、処理や反応の自在性に優れる。
【００９０】
（実施の形態２０、実施の形態２１）
次に、実施の形態２０における微細気泡発生器及びそれを備えた実施の形態２１における微細気泡発生装置について、以下図面を参照しながら説明する。
図２８（ａ）は実施の形態２０における微細気泡発生器の斜視図であり、図２８（ｂ）はその背面図である。
図２８において、２０２は器体、２０３は気液噴出孔、２０４ａは先端流体導入孔、２０４ｂは先端流体導入管、２０５は内部ノズル部、２０６は二次噴出孔、２３２ａは二次液体導入孔、２３２ｂは二次液体導入管であり、これらは実施の形態１８と同様のものなので同一の符号を付してその説明を省略する。
２４１は実施の形態２０における微細気泡発生器である。
実施の形態２０における微細気泡発生器２４１が実施の形態１８における微細気泡発生器２３１と異なる点は、内部ノズル部２０５の後部に内部ノズル部気体自吸孔２０８がない点である。
【００９１】
図２９は実施の形態２１における微細気泡発生装置の構成図である。
図２９において、２０２は器体、２０３は気液噴出孔、２０４ｂは先端流体導入管、２０５は内部ノズル部、２３２ｂは二次液体導入管、２１０は先端ポンプ、２１０ａは吸込口、２１０ｂは吐出口、２１１は先端側吐出管、２１２は先端側吸込管、２１４は二次ポンプ、２１４ａは吸込口、２１４ｂは吐出口、２１５は二次側吐出管、２１６は二次側吸込管、２１７は気体流量調節バルブであり、これらは実施の形態１９と同様のものなので同一の符号を付して説明を省略する。
２４２は実施の形態２１における微細気泡発生装置、２４３は一端側が二次側吸込管２１６に接続され他端側が空気中で開口された気体自吸管である。
実施の形態２１における微細気泡発生装置２４２が実施の形態１９における微細気泡発生装置２３３と異なる点は、内部ノズル部２０５の後部に内部ノズル部気体自吸孔２０８がなく、気体自吸管２４３が二次側吸込管２１６に接続されている点である。
【００９２】
以上のように構成された実施の形態２０における微細気泡発生器及びそれを備えた実施の形態２１における微細気泡発生装置について、以下図面を参照しながらその動作を説明する。
尚、説明の便宜上、先端ポンプにより吸い込まれる液体を先端側液体、二次ポンプにより吸い込まれる液体を二次側液体とする。
二次ポンプ２１４を駆動させると、二次側吸込管２１６から二次側液体が吸込口２１４ａを経て二次ポンプ２１４内に吸い込まれる。この際、二次側吸込管２１６の気体自吸管２４３との接続部において、気体自吸管２４３から二次側吸込管２１６へ、気体が二次側液体の随伴流として吸引され、二次側液体は気液混合流体となる。気泡が混合した二次側液体は、二次ポンプ２１４内でインペラ（図示せず）により、気泡が拡散されながら吐出口２１４ｂから吐出され内部ノズル部内に流入する。
尚、器体２０２及び内部ノズル部２０５内の流体の動作は、実施の形態１８、１９と同様のものなので、その説明を省略する。
【００９３】
以上のように構成された実施の形態２０の微細気泡発生器及びそれを備えた実施の形態２１の微細気泡発生装置によれば、実施の形態１８、実施の形態１９で得られる作用に加え、以下のような作用が得られる。
（１）気体自吸管２４３は二次側吸込管２１６に接続されており、内部ノズル部２０５には、気体を取り込むための孔等がないので、微細気泡発生器２４１を化学反応槽や汚水処理槽等に用いる場合、二次ポンプ２１４のＯＮ／ＯＦＦ時等に装置内に残圧が残っていて、流体が逆流しても反応物や汚物により目詰まりを起こすことがない。
（２）二次側液体内に混入した気体は、二次ポンプ２１４内でインペラにより、拡散されるので、さらに微細な気泡を多量に発生することができる。
【００９４】
（実施の形態２２、実施の形態２３）
実施の形態２２における微細気泡発生器及びそれを備えた実施の形態２３における微細気泡発生装置について、以下図面を参照しながら説明する。
図３０（ａ）は実施の形態２２における多段式の微細気泡発生器の斜視図であり、図３０（ｂ）はその背面図である。
尚、説明の便宜上、先端ポンプにより吸い込まれる液体を先端側液体、二次ポンプに吸い込まれる液体を二次側液体、三次ポンプに吸い込まれる液体を三次側液体とする。
図３０において、２５１は実施の形態２２における微細気泡発生器、２５２は後部側から前端部に向かって収束する略円錐台形状を有する器体、２５３は器体２５２の前端部（頂部）に穿設された気液噴出孔、２５４ｂは器体２５２の後部側に接線方向に開口された気液導入孔２５４ａに連通して配設された気液導入管、２５５は前部側が器体２５２の後部側の内部に配設され後部側から前端部に向かって収束する略円錐台形状を有する内部ノズル部、２５６は内部ノズル部２５５の前端部に開口された二次噴出孔、２５７ｂは内部ノズル部２５５の後部側に気液導入孔２５４ａと逆方向の接線方向に開口された二次液体導入孔２５７ａ（図示せず）に連通して配設された二次液体導入管、２５８は前部側が内部ノズル部２５５の後部側の内部に配設され後部側から前端部に向かって収束する略円錐台形状を有する三次ノズル、２５９は三次ノズル２５８の前端部に穿設された三次噴出孔、２６０ｂは三次ノズル２５８の後部側に二次液体導入孔２５７ａと同一方向の接線方向に開口された三次液体導入孔２６０ａに連通して配設された三次液体導入管、２６１は三次ノズル２５８の後端部に穿設された気体自吸孔（内部ノズル部気体自吸孔）である。
【００９５】
図３１は実施の形態２３における微細気泡発生装置の構成図である。
図３１において、２６２は吸込口２６２ａと吐出口２６２ｂとを有し先端側液体を器体２５２内に送り込む先端ポンプ、２６３は上流側が先端ポンプ２６２の吐出口２６２ｂに接続され下流側が気液導入孔２５４ａに接続された先端側吐出管、２６４は下流側が先端ポンプ２６２の吸込口２６２ａに接続された先端側吸込管、２６５は吸込口２６５ａと吐出口２６５ｂとを有し、二次側液体を内部ノズル部２５５に送り込む二次ポンプ、２６６は上流側が二次ポンプ２６５の吐出口２６５ｂに接続され下流側が二次液体導入孔２５７ａに接続された二次側吐出管、２６７は下流側が二次ポンプ２６５の吸込口２６５ａに接続された二次側吸込管、２６８は吸込口２６８ａと吐出口２６８ｂとを有し三次側液体を三次ノズル２５８に送り込む三次ポンプ、２６９は上流側が三次ポンプ２６８の吐出口２６８ｂに接続され下流側が二次液体導入孔２６０ａに接続された三次側吐出管、２７０は下流側が三次ポンプ２６８の吸込口２６８ａに接続された三次側吸込管、２７１は一端が気体自吸孔２６１に接続され他端が空気中で開口され所定部に気体流量調節バルブ２１７が配設された気体自吸管である。
【００９６】
以上のように構成された実施の形態２２における微細気泡発生器及びそれを備えた実施の形態２３における微細気泡発生装置について、以下図面を参照しながらその動作を説明する。
図３２は微細気泡発生器内部の流体の状態を示す要部側面状態図である。
図３２において、Ｚは内部ノズル部２５５及び三次ノズル２５８内の旋回流により形成される負圧軸である。
三次ポンプ２６８を駆動させると、三次側液体は、三次側吸込管２７０、三次ポンプ２６８、三次側吐出管２６９を経て、三次液体導入管２６０ｂから三次ノズル２５８内へ連続的に流入し、旋回しながら三次噴出孔２５９側へ移動していく。この際、三次側液体には遠心力が働き、旋回流の中心には負圧が働くので、気体自吸孔２６１から気体が吸い込まれ、負圧軸が形成される。
【００９７】
また、二次ポンプ２６５を駆動させると、二次側液体は、二次側吸込管２６７、二次ポンプ２６５、二次側吐出管２６６を経て、二次液体導入管２５７ｂから内部ノズル部２５５内へ連続的に流入し、旋回しながら二次噴出孔２５６に近づいていく。
内部ノズル部２５５内において、三次側液体は旋回しながら二次側液体に混入する。この際、二次側液体は三次側液体と同一方向に旋回しているので、負圧軸が二次噴出孔２５６まで延び負圧軸Ｚが形成される。
一方、先端ポンプ２６２を駆動させると、先端側液体は、先端側吸込管２６４、先端ポンプ２６２、先端側吐出管２６３を経て、気液導入管２５４ｂから器体２５２内へ連続的に流入し、先端側液体は、二次側液体及び三次側液体と逆方向に旋回しながら気液噴出孔２５３側へ移動していく。
また、器体２５２内に二次噴出孔２５６から二次側液体及び三次側液体並びに微細気泡を含む流体が進入する。
【００９８】
二次噴出孔２５６付近の先端側液体には、内部ノズル部２５５及び三次ノズル２５８内の負圧軸Ｚにより、二次噴出孔２５６から内部ノズル部２５５内へ進入しようとする力が働く。一方、内部ノズル部２５５内において、二次側液体及び三次側液体は旋回しながら二次噴出孔２５６に近づくにつれて、旋回速度が速くなるとともに圧力が高くなり、二次噴出孔２５６付近で旋回速度及び圧力は最大となり、負圧液と押し合う状態となる。二次側液体及び三次側液体は負圧液を避けるようにして、二次噴出孔２５６の縁部付近から流出する。また、負圧軸Ｚに集まった圧縮気体は、負圧液と二次側液体と三次側液体の混合液体の間隙を剪断を受けながら通過し、器体２５２内へ二次側液体と三次側液体の混合液体とともに多量の微細気泡を伴って内部ノズル部２５５の二次噴出孔２５６から噴出し先端側液体と混合された後、器体２５２の気液噴出孔２５３から噴出する。
【００９９】
以上のように構成された実施の形態２２の微細気泡発生器及びそれを備えた実施の形態２３の微細気泡発生装置によれば、以下のような作用が得られる。
（１）二次側及び三次側液体の旋回方向は先端側液体の旋回方向と逆なので、負圧軸Ｚに収束された気体は二次噴出孔２５６から器体２５２内へ進入した際に剪断され微細気泡となり、二次側液体及び三次側液体並びに微細気泡は旋回する先端側液体と効率よく混合され、気液噴出孔２５３から噴出する。よって、器体２５２及び内部ノズル部２５５並びに三次ノズル２５８が空気中に配置されていても、微細気泡を多量に含有した液体を噴出することができる。
（２）気体流量調節バルブ２１７を調節することにより、三次側液体に混入する気体量を調節することができるので、発生する微細気泡の大きさや量を調節することができる。
（３）微細気泡の粒径が数μｍ〜１００μｍに、液体や気体の流入量や旋回速度を調整するだけで自由にコントロールできる。
（４）微細気泡なので、気泡の表面積が極めて大きく、汚水や反応液、中和液に空気や反応ガスを高い吸収率や反応率で供給できる。
（５）気体自吸管２７１を大気に開放し、目的とする吸収もしくは反応ガス（例えば、ＣＯ2、ＨＣｌ、ＨＣＮ、ＳＯ2、ＣＯＣｌ2、フッ素化合物ガス等他の反応ガス）に接続するだけで液体に気体を吸収もしくは反応させることができる。
（６）多段式なので、各段に同一又は異種の液体と気体を供給することにより、高い効率で液体に気体を吸収又は反応させることができる。
（７）液体の供給量を調整するだけで気体の吸込量を調整でき、作業性、省力性に優れる。
（８）混合される原液体の粘度や旋回量、流量に応じて、最適の液体導入管に気体を導入でき、処理や反応の自在性に優れる。
（９）器体２５２及び内部ノズル部２５５や三次ノズル２５８に別々の液体もしくは気体を流入させることによって、より多くの種類の液体や気体を混合することができる。
（１０）混合燃料を一回の処理で高酸素率に製造でき、ボイラーの燃焼効率を高めることができる。
（１１）化学工場等の工場の種類の異なる排ガスや反応ガスを同時に中和液や洗浄液、反応液に供給することができる。
（１２）養殖場等でオゾンガスを供給し、次いで空気を供給して高殺菌と高酸素含有化を同時に達成させることができる。
（１３）ポンプ２６２、２６５、２６８の選択が液体の種別だけで選択でき、汎用性に優れる。
尚、実施の形態２３においては、三次ノズル２５８の後部に気体自吸孔２６１を配設し気体自吸管２７１を接続したが、気体自吸管２７１を二次側吸込管２６７及び／又は三次側吸込管２７０に接続することによって、上記（１）乃至（１３）の作用に代えて、以下のような作用が得られる。
（１４）三次ノズル２５８には、気体を取り込むための孔等がないので、先端ポンプ２６２や二次ポンプ２６５、三次ポンプ２６８のＯＮ／ＯＦＦ時等に装置内に残圧が残っていて、流体が逆流しても目詰まりを起こすことがない。
（１５）二次側及び／又は三次側液体内に混入した気体は、二次ポンプ２６５及び／又は三次ポンプ２６８内でインペラにより、拡散されるので、さらに微細な気泡を多量に発生させることができる。
【０１００】
（実施の形態２４）
実施の形態２４における微細気泡発生器について、図面を参照しながら説明する。
図３３（ａ）は実施の形態２４における微細気泡発生器の要部斜視図であり、図３３（ｂ）はその要部側面断面図である。
図３３において、３００は実施の形態２４の微細気泡発生器、３０１は略回転対称に形成された中空部を有する器体、３０２は器体３０１の周壁部に接線方向に開口された気液導入孔３０２ａに連接される気液導入管、３０３は中空部の回転対称軸の方向に開口して設けられた気液噴出孔、３０４は器体３０１の後壁に配設されたタンク部、３０５はタンク部３０４と器体３０１間の壁部に負圧軸が若干重なるように貫通して形成されたタンク部気体自吸孔、３０６はタンク部３０４に設けられたタンク部気体導入管、３０７は気液噴出孔３０３に連接された気液噴出ガイド部、３０８は気液噴出ガイド部３０７の周縁部に開口して形成された水流の流出部、３０９は流出部３０８から流出する液体の飛散を防止するための飛散防止部である。
【０１０１】
実施の形態２４の微細気泡発生器３００が実施の形態１の微細気泡発生器１と大きく異なる点は器体３０１がタンク部３０４及びタンク部気体導入孔３０６を有する点である。なお、微細気泡発生器３００を肌面に水流を噴出させてマッサージを行うマッサージ器として用いない場合は、気液噴出ガイド部３０７の構成を省略できる。
タンク部３０４は、器体３０１の後壁に覆設され円筒状等に形成された液体の貯留部であり、後壁に形成されたタンク部気体自吸孔３０５を介して中空部３０１ａに連通されている。タンク部３０４は、器体３０１とほぼ同径に形成され、器体３０１の容積に対して約１／２０〜１／４の容積を有している。タンク部３０４は接着剤等を介して器体３０１の後壁に接着しているが、器体に一体に成形したり、螺子部等を介して螺着することも可能である。
タンク部気体導入管３０６はタンク部３０４の上部に形成され、その孔径が約２ｍｍ〜５ｍｍであり、外部の空気等をタンク部３０４内に貯留された水を介して吸引することができる。
【０１０２】
以上のように構成された実施の形態２４における微細気泡発生器３００について、その動作を以下図面を参照しながら説明する。
図３４は実施の形態２４の微細気泡発生器の使用状態を示す説明図である。
図３４において、Ｘは器体３０１の中空部３０１ａ内にタンク部気体自吸孔３０５から気液噴出孔３０３、肌面Ｈにかけて形成された気体軸である。
まず、水道の蛇口やポンプの吐出口側に微細気泡発生器３００の気液導入管３０２を接続させ、気液導入管３０２から器体３０１の中空部３０１ａに接線方向から液体を流入させる。
中空部３０１ａ内に流入した液体は、中空部３０１ａの壁面に沿って旋回しながら気液噴出孔３０３から気液噴出ガイド部３０７に移動し、気液噴出ガイド部３０７の内壁面に沿って旋回しながら肌面Ｈに衝突し、流出部３０８から飛散防止部３０９の内壁面を通って微細気泡発生器３００外へ流出する。
この際、液体には器体３０１の周壁に沿って旋回して遠心力が働き、この旋回流の中心付近は低圧になるので、後壁の略中央位置に配置されたタンク部気体自吸孔３０５から気体が連続して吸引されて中空部３０１ａ内に気体軸Ｘが形成されると共に、気液噴出ガイド部３０７の前方側の肌面Ｈが吸引される。
【０１０３】
気体軸Ｘに集まった気体は、その先端部分と肌面Ｈとの間で引きちぎられ微細な気泡となって拡散し、肌面Ｈをつたって旋回流と共に流出部３０８から流出する。ここで、微細気泡発生器３００の中空部３０１ａは外気と直接連通しておらず、タンク部３０４のタンク側中空部３０４ａと連通しており、タンク側中空部３０４ａがタンク部気体導入管３０６を介して外気と連通しているため吸引抵抗を大きくして流量の調整を行うことができる。
また、タンク側中空部３０４ａに液体を貯留させることにより、タンク部気体自吸孔３０５の吸引抵抗をさらに大きくして、中空部３０１ａ内に吸い込まれる気体の流量を減らすこともできる。
【０１０４】
微細気泡発生器３００について、その気液噴出孔３０３から噴出する水流に生じる吸引力を測定して得られた以下の結果（１）〜（８）について説明する。なお、水流の中心部だけでは吸引力が弱いが、噴出孔の周囲にガイド部を設けることによって吸引される部分が広がり、吸引力を強くできる。
なお、ポンプとしては１００Ｖ−８０Ｗのものを使用した。
（１）ｄ＝  ７．０ｍｍ、Ｑ＝１０．０リットル毎分：３０ｇ球◎：６０ｇ球◎
（２）ｄ＝  ７．５ｍｍ、Ｑ＝１０．５リットル毎分：３０ｇ球○：６０ｇ球△
（３）ｄ＝  ８．２ｍｍ、Ｑ＝１１．５リットル毎分：３０ｇ球○：６０ｇ球×
（４）ｄ＝  ９．３ｍｍ、Ｑ＝１２．５リットル毎分：３０ｇ球◎：６０ｇ球○
（５）ｄ＝１０．４ｍｍ、Ｑ＝１３．５リットル毎分：３０ｇ球◎：６０ｇ球◎
（６）ｄ＝１１．５ｍｍ、Ｑ＝１４．５リットル毎分：３０ｇ球◎：６０ｇ球◎
（７）ｄ＝１２．５ｍｍ、Ｑ＝１５．０リットル毎分：３０ｇ球◎：６０ｇ球○
（８）ｄ＝１３．５ｍｍ、Ｑ＝１５．０リットル毎分：３０ｇ球○：６０ｇ球×
【０１０５】
ここでｄは気液噴出孔３０３の口径であり、Ｑは噴出流量である。記号◎、○、△、×は、吸引試験のための重量が３０ｇのゴムボール球及び６０ｇのゴムボール球を気液噴出孔３０３の近傍に配置したときの吸引力の評価を表しており、◎〜×の順に吸引力が低下することを示している。これらの結果から明らかなように、気液噴出孔３０３の口径が７ｍｍ及び１１ｍｍとなる範囲の近傍で吸引力が高くなるのが分かる。しかし、噴出口径ｄが大きくなると、気泡が粗大になる傾向があり、必要とする流量Ｑと合わせて適正範囲に調整することが必要である。ちなみに、７ｍｍの場合は、流量Ｑを大きくできないが、肌面等のマッサージに必要な吸引力は確保できる。また、１１ｍｍの場合は流量Ｑを大きくでき、しかも中空部内で必要な水流の旋回力を維持させることができる。
【０１０６】
以上のように構成された実施の形態２４の微細気泡発生器３００によれば、実施の形態１で得られる作用に加え、以下のような作用が得られる。
（１）タンク部３０４を設けることにより、タンク部３０４内に貯留した水によりタンク部気体自吸孔３０５の部分に水圧を付与して、タンク部気体自吸孔３０５の吸引抵抗を大きくすることができ、安定して微細気泡を噴出させることができ制御性に優れている。
（２）タンク部気体自吸孔３０５の径を大きくしても気体が大量に吸い込まれず、気液噴出孔３０３における吸引力を保つことができ、微細気泡発生器３００をマッサージ器として使用する場合に高いマッサージ効果や洗浄効果を得ることができる。
（３）タンク部気体自吸孔３０５の径を大きく形成できるので、塵埃や水垢等の詰まりによる動作不良等が起こりにくくメンテナンス性に優れている。
（４）微細気泡発生器３００をマッサージ器として使用する場合、飛散防止部３０９を備えているので、流出部３０８から流出した液体が前方に飛び散ることがなく使用性に優れる。
【０１０７】
（実施の形態２５）
実施の形態２５の微細気泡発生器について、以下図面を参照して説明する。
図３５は実施の形態２５における微細気泡発生器の要部側面断面図である。
図３５において、３３１は実施の形態２５における微細気泡発生器、３３２は後部から前端部に向かって収束する形状の中空部３３２ａを有し後壁に開口部３３２ｂを有する器体、３３２ｃは開口部３３２ｂの縁部に沿って立設された雌螺子部、３３３は雌螺子部３３２ｃに雄螺子部３３３ａが螺合し開口部３３２ｂに回動自在に覆設された回動部材、３３４は回動部材３３３に開口されたタンク部気体自吸孔、３３５は回動部材３３３の後壁に配設されタンク部気体自吸孔３３４を介して器体３３２の中空部３３２ａに連通するタンク側中空部３３５ａを有するタンク部、３３６はタンク部３３５の上部側に開口されたタンク孔を有するタンク部気体導入管である。
実施の形態２５における微細気泡発生器３３１が実施の形態２４の微細気泡発生器３００と異なる点は、回動部材３３３が器体３３２の開口部３３２ｂに覆設され、タンク部３３５が回動部材３３３に配設された点である。
なお、雌螺子部３３２ｃによって器体３３２の後壁側に段部が形成されるが、雌螺子部３３２ｃの長さを器体３３２の軸長の１／１０以下に程度に短くすることにより、器体３３２内の旋回水流を妨げることなく気泡発生状態を良好に維持させることができる。
【０１０８】
以上のように構成された実施の形態２５における微細気泡発生器３３１について、その動作を以下図面を参照しながら説明する。
図３６は実施の形態２５におけるタンク部気体自吸孔と気体軸との重なりを説明する要部背面断面図である。
図３６において、３３３ｂは回動部材３３３の回動中心、Ｙは器体３３２の中空部３３２ａ内にタンク部気体自吸孔３３４から気液噴出孔３０３と肌面Ｈにかけて形成された気体軸である。タンク部気体自吸孔３３４は、回動中心３３３ｂから少しずらして穿設される。これにより、器体３３２内に形成される気体軸Ｙとタンク部気体自吸孔３３４とを軸方向から見たときの重なり合う部分の面積を回動部材３３３を回動させて調整することができる。この重なり部分を調節することにより、タンク部気体自吸孔３３４の吸引抵抗を調節することができ、タンク部気体自吸孔３３４から吸い込ませる気体量やその形態等を調節することができる。尚、気体自吸孔と気体軸との重なりの調節以外の動作は、実施の形態２４と同様なのでその説明を省略する。
【０１０９】
実施の形態２５の微細気泡発生器は以上のように構成されているので、実施の形態２４で得られる作用に加え、以下のような作用が得られる。
（１）回動部材３３３が器体３３２の後壁にその回動軸を器体３３２の中心から偏心した位置に覆設され、タンク部気体自吸孔３３４が回動軸に対して偏心位置に形成されているので、回動部材３３３を回転又は回動させることにより、器体３３２内に形成される気体軸Ｙの後壁上への射影断面とタンク部気体自吸孔３３４とが重なり合う部分の面積を調整することができ、タンク部気体自吸孔３３４からの吸引抵抗等を変化させて、タンク部気体自吸孔３３４から吸い込ませる気体量を調節することができる。
（２）器体３３２の中心部を液体の旋回流で減圧して、器体３３２の後壁に配置されたタンク部気体自吸孔３３４から気体を吸引し、器体３３２内の中心部に気体軸を形成させることができる。この気体軸Ｙの形態は回動部材を所定角度に回動させることで調節できるので、操作性に優れる。
産業上の利用可能性
【０１１０】
本発明の請求項１に記載の微細気泡発生器によれば、以下のような効果が得られる。
（１）気液導入孔から器体内に気液混合流体を流入させると、接線方向から流入した気液混合流体は、器体の内壁に沿って旋回することにより気液が激しく混合されながら、中空部の回転対称軸の方向に設けられた気液噴出孔側へ移動していく。この際、液体と気体との比重の差によって、液体には遠心力が働き、気体には向心力が働き、大きな気泡が中心軸に収束して負圧軸（気体軸）が形成される。また、負圧軸により、気液噴出孔付近の液中の液体には、微細気泡発生器内に進入しようとする力が働く。一方、微細気泡発生器内の気液混合流体は、旋回しながら気液噴出孔に近づくにつれて、旋回速度が速くなるとともに圧力が高くなり、気液噴出孔付近で旋回速度及び圧力は最大となり、負圧液と押し合う状態になる。よって、負圧軸に集まった気体は、負圧液と旋回している気液混合流体とによって形成された間隙を圧縮気体となって通過し、気液混合流体とともに多量の微細気泡として気液噴出孔から液中へ噴出される。
（２）負圧液と負圧軸に集まった気体との間に剪断力が働き、負圧軸に集まった気体は引きちぎられるようにして気液噴出孔から噴出されるので、多量の微細気泡を発生させることができる。
（３）気体と液体とが予め混合された気液混合流体が気液導入孔に供給されるので、気体の混合比率を調整でき、しかも微細気泡を制御された状態で発生させることができる。
（４）微細気泡を含む水流を、処理する液体と十分に接触させることができ、溶存酸素量や反応効率等を高めることができる。
（５）気泡を含む液体を所定方向に吐出させ、水流の吐出状態を制御しながら河川や浄水設備等で広範囲に亘って大量の水処理を効率的に行うことができる。
（６）微細気泡発生器を気液反応装置や汚水処理装置等に用いた場合、ポンプのＯＮ／ＯＦＦ時等に装置内の残圧（負圧）により流体が逆流しても、微細気泡発生器には気体を取り込むための細孔等がないので、反応物や汚物により目詰まりを起こすことがない。
（７）微細気泡発生器には気体を取り込むための細孔等がないので、器体内を高圧にしても逆流を起こさず、より微細で多量の気泡を噴出できる。
（８）微細気泡を多量に発生させるので、気体と液体の接触面積を大きくすることができ、気液反応装置における反応や、浄化装置における浄化を促進させることができる。また、養殖池や養殖場もしくは鮮魚運搬車の水（海水）中の溶存酸素量を増加させることができる。
【０１１１】
請求項２に記載の微細気泡発生器よれば、請求項１の効果の他、以下の効果が得られる。
（１）気液噴出孔が中空部の回転対称軸の左右両側にそれぞれ設けられているので、一つの微細気泡発生器で処理できる範囲を広くして、水処理を効率的に行うことができ、生産性と利便性に優れている。
（２）回転対称軸の左右両側に配置されるそれぞれの気液噴出孔の噴出特性を異ならせることによって、微細気泡の噴出状態を所定の状態に制御することができ、水処理を効率的に行うことができる。
（３）２つの気液噴出孔を有するので、微細気泡発生器から吐出される気液混合流体の噴出量を単孔のものに比べて倍増させることができ、大量の水処理を行うことができる。
【０１１２】
請求項３に記載の微細気泡発生器によれば、請求項１又は２の効果の他、以下の効果が得られる。
（１）気液噴出孔の内周壁に噴出側に向かって所定角度で拡径する傾斜部を有しているので、微細気泡や微細気泡になる前の気体を含む水流が拡散する範囲を所定角度内に限定して水流内を減圧することができ、この部分的な減圧により微細気泡を気液混合流体中に効果的に発生させることができる。
（２）傾斜部における角度や噴出方向の長さを、供給する水の水質や圧力、流量、温度等に応じて、それぞれ組み合わせて調整することで、水流に拡散させる微細気泡の大きさや気泡の集合形態等を微妙に変化させることもできる。
（３）回転対称軸の両側に気液噴出孔を配置した場合には、それぞれの傾斜部における傾斜角度を異ならせることにより、微細気泡発生器から全体的に噴出される水流に特定の方向性を付与することができ、化学反応槽や浄化層等における制御性に優れている。
【０１１３】
請求項４に記載の微細気泡発生器によれば、請求項１乃至３の内いずれか１項の効果の他、以下の効果が得られる。
（１）気液導入孔から器体内に気液混合流体を流入させると、接線方向から流入した気液混合流体は、器体の内壁に沿って旋回し、激しく気液が混合されながら気液噴出孔側へ移動していく。この際、液体と気体との比重の差によって、液体には遠心力が働き、気体には向心力が働き、大きな気泡が中心軸に収束し負圧軸が形成される。また、負圧軸によりに固定キャップ部を、微細気泡発生器内に吸引しようとする力が働く。一方、器体内の気液混合流体は、旋回しながら気液噴出孔に近づくにつれて、旋回速度が速くなり、気液噴出孔付近で旋回速度は最大となり、気液噴出孔と対向した固定キャップ部の蓋部と押し合う状態になる。よって、負圧軸に集まった気体は、固定キャップ部の蓋部と旋回ながら噴出する気液混合流体との間を圧縮・剪断されながら通過し、気液混合流体とともに多量の微細気泡として気液噴出孔から液中へ噴出される。
（２）微細気泡を多量に発生させることができるので、気体と液体の接触面積を大きくして気液反応装置における反応や、浄化装置における浄化を促進させることができる。また、養殖池や養殖場もしくは鮮魚運搬車の水（海水）中の溶存酸素量を増加させることができる。
（３）微細気泡を発生でき、気泡の表面積を極めて大きくでき、汚水や反応液、中和液に空気や反応ガスを高い吸収率や反応率で供給できる。
（４）液体や気体の流入量や旋回速度を調整するだけで微細気泡の粒径を数ｎｍ〜１００μｍの範囲に自由にコントロールできる。
（５）キャップ部は気液噴出孔と枠状フレームとの間で移動自在に配設されている。キャップ部は負圧により気液噴出孔方向に吸引され、気液噴出孔から噴出する気体はキャップ部により圧縮、剪断されるので、より微細な気泡を多量に発生させることができる。
（６）ポンプの吐出圧や気液導入孔や気液噴出孔の径、器体の形状や容積に応じて変化する気液混合流体の旋回時の流速や流量に対応してキャップ部の気液噴出孔側の面と気液噴出孔との間隙の大きさが変化させることができ水流の安定性と制御性に優れる。
（７）器体内に負圧軸が形成されている時は、キャップ部は負圧軸の吸引力と噴出する気液混合流体の噴出方向への力とにより所定の位置で保持されるので、枠状フレームや気液噴出孔に接触することがほとんどなく、磨耗しにくく、耐久性に優れる。
【０１１４】
請求項５に記載の微細気泡発生器によれば、請求項４の効果の他、以下の効果が得られる。
（１）キャップ支持部を有して固定キャップ部が固定されるので、固定キャップ部が気液混合流体の旋回方向に対して動かず、固定キャップ部の蓋部と噴出される気体との間で剪断力を有効に働かせることができ、負圧軸に集まった気体は引きちぎられるようにして噴出され、多量の微細気泡を発生させることができる。
【０１１５】
請求項６に記載の微細気泡発生器によれば、請求項５の効果の他、以下の効果が得られる。
（１）キャップ支持部及び／又は固定キャップ部が可撓性材料からなるので、固定キャップ部がキャップ支持部の撓み等の許容範囲内で各々の噴出孔に対して接離方向に移動させることができる。従って、固定キャップ部は負圧軸により気液噴出孔方向に吸引され気液噴出孔から噴出する気体は固定キャップ部の裏側に形成された隆起部等で圧縮、剪断されるので、より微細な気泡を多量に発生させることができる。
（２）ポンプの吐出圧や気液導入孔や気液噴出孔の径、器体の形状や容積に応じて変化する気液混合流体の旋回時の流速や流量に対応して隆起部の気液噴出孔側の面と気液噴出孔との間隙の大きさが変化するので、汎用性に優れる。
【０１１６】
請求項７に記載の微細気泡発生器によれば、請求項４乃至６の内何れか１項の効果の他、以下の効果が得られる。
（１）固定キャップ部の裏面側に湾曲して突起した形状の隆起部を有しているので、微細気泡を有した気液混合流体を隆起部の面に沿ってガイドしながら流すことができる。
（２）固定キャップ部やキャップ支持部を材質を可撓性材料で構成した場合、隆起部は負圧軸により気液噴出孔方向に吸引されて流路が狭まるので、気液噴出孔から噴出される流体中の気体は隆起部で圧縮、剪断され、更に器体と外部液体とが固定キャップ部で分断され、負圧液の影響を最小限に抑え噴出力が強力になって、より微細な気泡を多量に発生させることができる。
【０１１７】
請求項８に記載の微細気泡発生器によれば、請求項１乃至７の内何れか１項の効果の他、以下の効果が得られる。
（１）タンク部を備えているので、タンク部気体自吸孔及びタンク部気体導入管を介して吸引される空気の吸引抵抗を大きくすることができるので、タンク部気体自吸孔の径を大きくしても気体が大量に吸い込まれず、安定した状態で気体を吸引できる。
（２）容量の大きいタンク部を設けることにより外部の圧力変動が緩和されるので、水流内に発生させる微細気泡の大きさや形態、発生量等の制御を容易化でき、操作性に優れる。
（３）タンク部気体自吸孔の径を大きくすることができるので、塵埃や水垢等の詰まりによる動作不良等が起こりにくく、メンテナンス性に優れる。
【０１１８】
請求項９に記載の微細気泡発生器によれば、請求項１乃至８の内何れか１項の効果の他、以下の効果が得られる。
（１）中空部内に二次液体を噴射する内部ノズルを備えているので、液体導入管から供給される気液混合流体とこの二次液体とを中空部内で効果的に接触させて、さらに微細な気泡を発生させることができ、水処理における生産性を向上させることができる。
（２）二次液体導入管から内部中空部内へ接線方向から連続的に流入した気液混合流体や液体は、旋回しながら内部ノズル部側へ移動していく。この際、液体には遠心力が働き、旋回流の中心は負圧になるので、気体が中心に集まって負圧軸が形成される。一方、気液導入孔から中空部内へ流入した液体は、旋回しながら気液噴出孔側へ移動していく。こうして中空部内で二次液体導入管と気液導入孔とを介して供給された流体が合流して、多量で微細な気泡を生じさせることができる。
（３）噴出される気液混合流体の旋回方向を中空部内の液体の旋回方向と逆にした場合は、負圧軸に収束された気体は瞬間的に微細気泡となって、中空部内の液体と混合されて気液噴出孔から噴出するので、気液噴出孔が空気中に配置されていても、微細気泡を多量に含有した液体を噴出することができる。
（４）中空部には、気体を取り込むための孔等がないので、微細気泡発生器を化学反応槽や化学石油プラントにおけるガス洗浄槽、汚水処理槽に用いる場合は、ポンプのＯＮ／ＯＦＦ時等に装置内に残圧が残っていて流体が逆流しても反応物や汚物により目詰まりを起こすことがない。
（５）微細気泡とすることができるので、気泡の表面積が極めて大きく、汚水や反応液、中和液に空気や反応ガスを高い吸収率や反応率で供給できる。
【０１１９】
請求項１０に記載の微細気泡発生器によれば、請求項９の効果に加え、以下のような効果が得られる。
（１）各旋回流発生部に種類の異なる液体もしくは気体を流入させることによって、より多くの種類の液体や気体を混合することができる。
（２）混合燃料を一回の処理で高酸素率に製造でき、ボイラー等の燃焼効率を高めることができる。
（３）化学工場等の工場において種類の異なる排ガスや反応ガスを同時に中和液や洗浄液、反応液に供給することができる。
（４）養殖場等でオゾンガスを供給し、次いで空気を供給して高殺菌と高酸素含有化を同時に達成させることができる。
【０１２０】
請求項１１に記載の微細気泡発生器によれば、請求項９又は１０の効果に加え、以下のような効果が得られる。
（１）内部ノズル部から中空部内へ、気液混合流体が旋回しながら進入するので、気液混合流体と液体とが効率よく混合することができる。
（２）気液混合流体の旋回力に内部ノズル部からの液体の旋回力が加わり、より強い旋回流が生じるので、勢い良く、より広範囲へ多量の微細気泡を噴出させることができる。
（３）二次液体導入孔や直列状に接続された内部ノズル部の液体導入孔が気液導入孔と反対方向の接線方向に開口されている場合は、多段に形成された微細気泡発生器内で、液体への気体の吸収率や反応率を高めることができる。
（４）中空部内や各内部ノズル部での液体の旋回速度を調整することで、気液噴出孔から微細気泡を多量に噴出させることができる。
【０１２１】
請求項１２に記載の微細気泡発生器によれば、請求項９乃至１１の内いずれか１項の効果に加え、以下のような効果が得られる。
（１）二次液体導入管から内部中空部内へ接線方向から連続的に流入した気液混合流体や液体は、旋回しながら内部ノズル部側へ移動していく。この際、液体には遠心力が働き、旋回流の中心は負圧になるので、内部ノズル部気体自吸孔から気体が吸引され、吸引された気体が中心に集まって負圧軸が形成される。一方、気液導入孔から中空部内へ流入した液体は、旋回しながら気液噴出孔側へ移動していく。こうして中空部内で二次液体導入管と気液導入孔とを介して供給された流体が合流して、多量で微細な気泡を生じさせることができる。
なお、中空部内には二次液体導入管から旋回方向が気液導入孔からの流体の噴出方向とは正又は逆の気液混合流体を噴出させることができる。
内部ノズル部付近の液体には、内部ノズル部の負圧軸により内部ノズル部へ進入しようとする力が働く。一方、内部ノズル部気体自吸孔からの気体を含む気液混合流体は、内部ノズル部内を旋回しながら移動し、内部ノズル部の噴出孔に近づくにつれて旋回速度が速くなるとともに圧力が高くなり、先端の噴出孔付近で旋回速度及び圧力は最大となって負圧液と押し合う状態となる。気液混合流体は負圧液を避けるようにして、二次噴出孔の縁部付近から流出する。流出する際に、負圧軸の圧縮された気体は、微細気泡となって剪断され、中空部内へ気液混合流体とともに噴出し中空部内の液体と混合された後、気液噴出孔から噴出される。
（２）微細気泡とすることができるので、気泡の表面積が極めて大きく、汚水や反応液、中和液に空気や反応ガスを高い吸収率や反応率で供給できる。
【０１２２】
請求項１３に記載の微細気泡発生器を備えた微細気泡発生装置によれば、この構成により、以下のような効果が得られる。
（１）微細気泡発生器には気体を取り込むための細孔等がないので、ポンプのＯＮ／ＯＦＦ時等に装置内に残圧が残っていて流体が逆流しても目詰まりを起こすことがない。
（２）ポンプ内に吸い込まれた気液混合流体は、ポンプのインペラにより液体と共に撹拌され、気泡が拡散されながらポンプの吐出口から気液吐出管に吐き出される。
（３）気液吐出管から微細気泡発生器に供給された気液混合流体は中空部内でさらに攪拌され微細な気泡にされるので、従来の技術に比べてさらに微細な気泡を発生することができる。
【０１２３】
請求項１４に記載の微細気泡発生器及を備えた微細気泡発生装置によれば、請求項１３の効果に加えて以下のような効果が得られる。
（１）気体は吸込管部気体自吸孔から気液吸込管に吸い込まれ、微細気泡発生器には、気体を取り込むための細孔等がないので、ポンプのＯＮ／ＯＦＦ時等に装置内に残圧が残っていて流体が逆流しても目詰まりを起こすことがない。
（２）ポンプを駆動させると気液吸込管に水流が発生して、このエジェクタ効果により気液吸込管部気体自吸孔から気液吸込管内に気体が液体の随伴流として吸引される。こうして気体を含む気液混合流体が、ポンプの吸込口からポンプ内に吸い込まれる。ポンプ内に吸い込まれた気液混合流体は、ポンプのインペラにより、気泡が拡散されながらポンプの吐出口から気液吐出管内に吐き出される。
（３）吸込管部気体自吸孔から供給される気体の流量を制御できるので、微細気泡の量や大きさ等を適正に調整することができる。
【０１２４】
請求項１５に記載の微細気泡発生器を備えた微細気泡発生装置によれば、請求項１４の効果に加えて以下のような効果が得られる。
（１）気体導入管を所望の容器等に連通させることにより、所望の気体を気液吸込管内に流入させることができる。
【０１２５】
請求項１６に記載の微細気泡発生器を備えた微細気泡発生装置によれば、請求項１５の効果に加え、以下のような効果が得られる。
（１）気体流量調節バルブ調節することにより、液体に混入する気体量を調節することができるので、発生する微細気泡の大きさを調節することができる。
【０１２６】
請求項１７に記載の微細気泡発生器を備えた微細気泡発生装置によれば、請求項１５又は１６の効果に加え、以下のような効果が得られる。
（１）エアポンプにより強制的に気体を供給することができるので、液体に混合する気体量を増加させることができる。
【０１２７】
請求項１８に記載の微細気泡発生器を備えた微細気泡発生装置によれば、請求項１３乃至１７の内何れか１項の効果に加えて以下のような効果が得られる。
（１）液中ポンプは液中に配置されるので、陸上にポンプを配置するための場所を必要とせず、使用性に優れる。
（２）液中ポンプの吸込口から直接流体を吸い込み、気液吸込管を必要としないので、部品点数が少なくなり生産性に優れる。
（３）吸込口が液中に開口されているので、液中ポンプのＯＮ／ＯＦＦ時に残圧がかからず、気体導入管に流体が逆流せず目詰まりを起こすことがない。
【０１２８】
請求項１９に記載の微細気泡発生器を備えた微細気泡発生装置によれば、請求項１８の効果に加えて以下のような効果が得られる。
（１）羽根車状に形成されたインペラを吸込室で回転させることにより、インペラの回転軸部に対向して開口した吸込口から周囲の液体を吸引して吸込室内に取り込むと共に、吸込室の周壁の接線方向に接続された気液吐出管から水流を吐出させることができる。
（２）インペラを駆動させるモータを備えたモータ室とインペラを備えた吸込室とが一体に形成されているので、全体をコンパクトにして携帯性に優れ、また、浄水場や沈殿槽等に容易に適用することができる。
【０１２９】
請求項２０に記載の微細気泡発生器を備えた微細気泡発生装置によれば、請求項１９の効果に加えて以下のような効果が得られる
（１）分岐管が液中ポンプの吸込口付近に配設されているので、分岐管内に負圧が発生し、気体導入管から負圧管内に気体が吸い込まれ液体中に混入させることができる。
（２）負圧管の内径が分岐管の内径より大きいので、流体が分岐管から負圧管に流入した際に、負圧管内に負圧が発生し、気体導入管から負圧管内に気体が吸い込まれ液体中に混入する。
（３）分岐管が液中ポンプの吸込口付近で開口されているので、液中ポンプのＯＮ／ＯＦＦ時に残圧がかからず、気体導入管に流体が逆流せず目詰まりを起こすことがない。
【０１３０】
請求項２１に記載の微細気泡発生器を備えた微細気泡発生装置によれば、請求項１７乃至２０の内何れか１項の効果に加えて以下の効果を生じる。
（１）エアポンプ用のモータ等の駆動部を別途必要としないので、生産性に優れるとともに装置全体を小型化することができる。
【０１３１】
請求項２２に記載の微細気泡発生器を備えた微細気泡発生装置によれば、請求項１３乃至２１の内何れか１項の効果に加えて以下の効果を生じる。
（１）複数の微細気泡発生器を用いてそれぞれの気液噴出孔から多量の微細気泡を所定の方向に噴出させることができるので、微細気泡をより広範囲に噴出させることができる。
（２）それぞれの気液噴出孔の傾斜部の角度を調整することにより、全体の水流の吐出状態を制御して、さらに効率的に広い範囲の水処理を行うことができる。
【図面の簡単な説明】
【０１３２】
第１図（ａ）は実施の形態１の微細気泡発生器の要部斜視図である。
第１図（ｂ）は実施の形態１の微細気泡発生器の要部正面図である。
第１図（ｃ）は実施の形態１の微細気泡発生器の要部側面図である。
第２図は微細気泡発生器内部の流体の状態を示す要部正面状態図である。
第３図（ａ）は実施の形態２の微細気泡発生器の要部斜視図である。
第３図（ｂ）は実施の形態２の微細気泡発生器の要部正面図である。
第３図（ｃ）は実施の形態２の微細気泡発生器の要部側面図である。
第４図（ａ）は実施の形態３の微細気泡発生器の要部斜視図である。
第４図（ｂ）は実施の形態３の微細気泡発生器の要部正面図である。
第４図（ｃ）は実施の形態３の微細気泡発生器の要部側面図である。
第５図（ａ）は実施の形態４の微細気泡発生器の要部斜視図である。
第５図（ｂ）は実施の形態４の微細気泡発生器の要部正面図である。
第５図（ｃ）は実施の形態４の微細気泡発生器の要部側面図である。
第６図（ａ）は実施の形態５の微細気泡発生器の要部斜視図である。
第６図（ｂ）は実施の形態５の微細気泡発生器の要部正面図である。
第６図（ｃ）は実施の形態５の微細気泡発生器の要部側面図である。
第７図は実施の形態６の微細気泡発生装置の使用状態図である。
第８図は実施の形態７の微細気泡発生装置の使用状態図である。
第９図は実施の形態７の液中ポンプの内部構成図である。
第１０図は実施の形態８の微細気泡発生装置の使用状態図である。
第１１図は実施の形態８の液中ポンプ及びエアポンプの内部構成図である。
第１２図は（ａ）実施の形態９の微細気泡発生装置の微細気泡発生器の接続部を示す要部平面図である。
第１２図は（ｂ）実施の形態９の微細気泡発生装置の微細気泡発生器の接続部を示す要部側面図である。
第１３図は実施の形態１０の微細気泡発生器の要部側面断面図である。
第１４図（ａ）は実施の形態１１の微細気泡発生器の要部斜視図である。
第１４図（ｂ）は実施の形態１１の微細気泡発生器の要部側面図である。
第１４図（ｃ）は実施の形態１１の微細気泡発生器の要部正面図である。
第１５図は実施の形態１１の微細気泡発生器の流体の状態を示す要部側面状態図である。
第１６図（ａ）は実施の形態１２の微細気泡発生器の要部斜視図である。
第１６図（ｂ）は実施の形態１２の微細気泡発生器の要部正面図である。
第１６図（ｃ）は実施の形態１２の微細気泡発生器の要部側面図である。
第１７図は実施の形態１２の微細気泡発生器の流体の状態を示す要部正面状態図である。
第１８図（ａ）は実施の形態１３の微細気泡発生器の要部斜視図である。
第１８図（ｂ）は実施の形態１３の微細気泡発生器の要部正面図である。
第１８図（ｃ）は実施の形態１３の微細気泡発生器の要部側面図である。
第１９図は実施の形態１３の微細気泡発生器の流体の状態を示す要部正面状態図である。
第２０図（ａ）は実施の形態１４の微細気泡発生器の斜視図である。
第２０図（ｂ）は実施の形態１４の微細気泡発生器の背面図である。
第２１図は実施の形態１５の微細気泡発生装置の構成図である。
第２２図は実施の形態１４、１５の微細気泡発生器内部の流体の状態を示す要部側面断面図である。
第２３図（ａ）は実施の形態１６の微細気泡発生器の斜視図である。
第２３図（ｂ）は実施の形態１６の微細気泡発生器の背面図である。
第２４図は実施の形態１７の微細気泡発生装置の構成図である。
第２５図（ａ）は実施の形態１８の微細気泡発生器の斜視図である。
第２５図（ｂ）は実施の形態１８の微細気泡発生器の背面図である。
第２６図は実施の形態１９の微細気泡発生装置の構成図である。
第２７図は実施の形態１８、１９の微細気泡発生器内部の流体の状態を示す要部側面断面図である。
第２８図（ａ）は実施の形態２０の微細気泡発生器の斜視図である。
第２８図（ｂ）は実施の形態２０の微細気泡発生器の背面図である。
第２９図は実施の形態２１の微細気泡発生装置の構成図である。
第３０図（ａ）は実施の形態２２の微細気泡発生器の斜視図である。
第３０図（ｂ）は実施の形態２２の微細気泡発生器の背面図である。
第３１図は実施の形態２３の微細気泡発生装置の構成図である。
第３２図は実施の形態２２、２３の微細気泡発生器内部の流体の状態を示す要部側面断面図である。
第３３図（ａ）は実施の形態２４の微細気泡発生器の要部斜視図である。
第３３図（ｂ）はその要部側面断面図である。
第３４図は実施の形態２４の微細気泡発生器の使用状態の説明図である。
第３５図は実施の形態２５の微細気泡発生器の要部側面断面図である。
第３６図は実施の形態２５のタンク部気体自吸孔と気体軸との重なりを説明する要部背面断面図である。
【図１（ａ）】
0003682286.tif 000002
【図１（ｂ）】
0003682286.tif 000003
【図１（ｃ）】
0003682286.tif 000004
【図２】
0003682286.tif 000005
【図３（ａ）】
0003682286.tif 000006
【図３（ｂ）】
0003682286.tif 000007
【図３（ｃ）】
0003682286.tif 000008
【図４（ａ）】
0003682286.tif 000009
【図４（ｂ）】
0003682286.tif 000010
【図４（ｃ）】
0003682286.tif 000011
【図５（ａ）】
0003682286.tif 000012
【図５（ｂ）】
0003682286.tif 000013
【図５（ｃ）】
0003682286.tif 000014
【図６（ａ）】
0003682286.tif 000015
【図６（ｂ）】
0003682286.tif 000016
【図６（ｃ）】
0003682286.tif 000017
【図７】
0003682286.tif 000018
【図８】
0003682286.tif 000019
【図９】
0003682286.tif 000020
【図１０】
0003682286.tif 000021
【図１１】
0003682286.tif 000022
【図１２（ａ）】
0003682286.tif 000023
【図１２（ｂ）】
0003682286.tif 000024
【図１３】
0003682286.tif 000025
【図１４（ａ）】
0003682286.tif 000026
【図１４（ｂ）】
0003682286.tif 000027
【図１４（ｃ）】
0003682286.tif 000028
【図１５】
0003682286.tif 000029
【図１６（ａ）】
0003682286.tif 000030
【図１６（ｂ）】
0003682286.tif 000031
【図１６（ｃ）】
0003682286.tif 000032
【図１７】
0003682286.tif 000033
【図１８（ａ）】
0003682286.tif 000034
【図１８（ｂ）】
0003682286.tif 000035
【図１８（ｃ）】
0003682286.tif 000036
【図１９】
0003682286.tif 000037
【図２０（ａ）】
0003682286.tif 000038
【図２０（ｂ）】
0003682286.tif 000039
【図２１】
0003682286.tif 000040
【図２２】
0003682286.tif 000041
【図２３（ａ）】
0003682286.tif 000042
【図２３（ｂ）】
0003682286.tif 000043
【図２４】
0003682286.tif 000044
【図２５（ａ）】
0003682286.tif 000045
【図２５（ｂ）】
0003682286.tif 000046
【図２６】
0003682286.tif 000047
【図２７】
0003682286.tif 000048
【図２８（ａ）】
0003682286.tif 000049
【図２８（ｂ）】
0003682286.tif 000050
【図２９】
0003682286.tif 000051
【図３０（ａ）】
0003682286.tif 000052
【図３０（ｂ）】
0003682286.tif 000053
【図３１】
0003682286.tif 000054
【図３２】
0003682286.tif 000055
【図３３（ａ）】
0003682286.tif 000056
【図３３（ｂ）】
0003682286.tif 000057
【図３４】
0003682286.tif 000058
【図３５】
0003682286.tif 000059
【図３６】
0003682286.tif 000060